(57)【要約】  両面粘着テープ５３は、テープ送りローラ６３とテープサブローラ１１との間を通過し、フィルムテープ５１の印刷面に圧着される。その後、セパレータ５３Ｄは、剥離コロ６５の外周面に沿ってフィルムテープ５１に圧着された両面粘着テープ５３から剥離され、テープ送りローラ６３の外周面に沿って両面粘着スプール５６側へ案内される。続いて、セパレータ５３Ｄは、セパレータ案内壁３７の壁面に沿って案内リブ３５の外側方向に案内されて、両面粘着テープ５３の外側周縁を通って略直角内側方向へ案内されてセパレータ巻き取りスプール６２に至る。そして、セパレータ５３Ｄは、セパレータ巻取軸１６により回転駆動されるセパレータ巻き取りスプール６２に巻き取られる。
2010047154.tif 000002
【特許請求の範囲】
【請求項１】
長尺状のテープを搬送するためのテープ搬送手段と、前記テープに印刷する印刷手段と、を備えたテープ印刷装置に着脱可能に装着されるテープカセットにおいて、
前記搬送手段は、回転可能且つ押し当て可能に設けられたテープサブローラを有し、
一面にセパレータが貼着された前記テープを外部へ排出するテープ排出口と、
前記テープ排出口のテープ搬送方向上流側に設けられて、前記一面にセパレータが貼着された前記テープを挟んで前記テープサブローラが圧接されると共に、該セパレータに接触しつつ該テープを引き出して搬送するテープ送りローラと、
前記テープ排出口で前記テープから剥離された前記セパレータを前記テープ送りローラの外周面に沿って内側方向へ案内するセパレータ案内部と、
前記セパレータ案内部から前記テープ送りローラの外周面に沿って内側方向へ案内された前記セパレータの先端部が固着されると共に、該セパレータが巻き取られるセパレータ巻き取りスプールと、
を備えたことを特徴とするテープカセット。
【請求項２】
前記セパレータ案内部は、前記テープ排出口のテープ搬送方向に対して直角方向の両内側壁部の間に前記両内側壁部と所定隙間を形成して前記テープに貼着されたセパレータに接触するように回転可能に設けられた剥離コロを有し、
前記テープ排出口で前記テープから剥離された前記セパレータは、前記剥離コロの外周面に沿って前記テープ送りローラの外周面側方向へ案内されることを特徴とする請求項１に記載のテープカセット。
【請求項３】
前記剥離コロは、前記テープ送りローラと前記テープサブローラとの共通接線よりも該テープサブローラ側の位置で前記セパレータに接触するように設けられ、
前記テープは、前記テープ排出口から前記セパレータが貼着されていない面の方向に傾斜して排出されることを特徴とする請求項２に記載のテープカセット。
【請求項４】
前記剥離コロと前記テープ送りローラとの間において、前記セパレータと前記テープとの間に挿入されるように設けられた予備剥離部材を備えたことを特徴とする請求項２又は請求項３に記載のテープカセット。
【請求項５】
前記剥離コロは、前記テープ排出口よりもテープ搬送方向外側に突出するように設けられていることを特徴とする請求項２乃至請求項４のいずれかに記載のテープカセット。
【請求項６】
前記テープ印刷装置は、前記テープを切断する切断装置を備え、
前記切断装置は、固定刃と可動刃とを有し、
前記剥離コロは、該テープ印刷装置に装着された場合には、前記固定刃に対向すると共に該固定刃に近接して配置されることを特徴とする請求項２乃至請求項５のいずれかに記載のテープカセット。
【請求項７】
前記剥離コロに対して前記テープを挟んで対向する前記テープ排出口の内側壁部は、前記剥離コロよりもテープ搬送方向下流側へ延出されて設けられていることを特徴とする請求項２乃至請求項６のいずれかに記載のテープカセット。
【請求項８】
前記セパレータ案内部は、前記テープ排出口の前記テープに貼着されたセパレータに接触する一方の側壁部に貫通して形成されて前記テープから剥離された前記セパレータが進入可能なセパレータ入口を有し、
前記テープ排出口の外側端縁部で前記テープから剥離された前記セパレータは、前記セパレータ入口から進入して前記テープ送りローラの外周面側方向へ案内されることを特徴とする請求項１に記載のテープカセット。
【請求項９】
前記テープ排出口は、出口側の前記セパレータに対向する端縁部が前記テープ送りローラと前記テープサブローラとの共通接線よりも該テープサブローラ側の位置で前記セパレータに接触するように形成され、
前記テープは、前記テープ排出口から前記セパレータが貼着されていない面の方向に傾斜して排出されることを特徴とする請求項８に記載のテープカセット。
【請求項１０】
前記テープ排出口の入口側の端縁部と前記テープ送りローラとの間において、前記セパレータと前記テープとの間に挿入されるように設けられた予備剥離部材を備えたことを特徴とする請求項８又は請求項９に記載のテープカセット。
【請求項１１】
一面が前記セパレータで覆われて該セパレータを外側にして巻回されて回転可能に設けられて、前記テープの印刷された面に貼着される両面粘着テープを備え、
前記テープは、巻回されて回転可能に設けられると共に、巻回された前記両面粘着テープに対向するように配置され、
前記テープ送りローラは、前記テープと前記両面粘着テープとを前記テープサブローラとの間に挟んで引き出して搬送すると共に，該テープの印刷面に該両面粘着テープを圧着し、
前記テープ排出口で前記両面粘着テープから剥離された前記セパレータは、前記セパレータ案内部から前記テープ送りローラの外周面に沿って内側方向へ案内された後、更に、巻回される前記両面粘着テープ側へ案内されて前記セパレータ巻き取りスプールに巻き取られることを特徴とする請求項１乃至請求項１０のいずれかに記載のテープカセット。
【請求項１２】
前記セパレータ案内部から巻回される前記両面粘着テープ側へ案内された前記セパレータを前記セパレータ巻き取りスプールまで案内する経路上に設けられたガイド部材を備え、
前記セパレータ巻き取りスプールは、巻回される前記両面粘着テープと巻回される前記テープとの間に配設され、
前記ガイド部材は、前記セパレータを前記セパレータ案内部から巻回される該両面粘着テープの引き出し側へ案内後、該両面粘着テープの外側周縁を通って前記セパレータ巻き取りスプールまで案内することを特徴とする請求項１１に記載のテープカセット。
【請求項１３】
巻回される前記両面粘着テープと前記テープ送りローラとの間の前記両面粘着テープの経路上において、前記セパレータと該両面粘着テープとの間に挿入されるように設けられたセパレート予備剥離部材を備えたことを特徴とする請求項１１又は請求項１２に記載のテープカセット。
【請求項１４】
前記セパレータ巻き取りスプールは、該セパレータ巻き取りスプールに最も多く巻回された前記セパレータが、最も多く巻回された前記テープが占有した被印刷テープ占有領域と、最も多く巻回された前記両面粘着テープが占有した両面粘着テープ占有領域とのうちの少なくとも一方の一部領域を占有するように巻回される前記テープと巻回される前記両面粘着テープとの間に配設されていることを特徴とする請求項１１乃至請求項１３のいずれかに記載のテープカセット。
【請求項１５】
前記テープは、被印刷面の裏側面を覆うようにセパレータが貼着されて、該セパレータを内側にして巻回されて回転可能に設けられていることを特徴とする請求項１乃至請求項１０のいずれかに記載のテープカセット。
【発明の詳細な説明】
【技術分野】
【０００１】
本発明は、テープ印刷装置に使用されるテープカセットに関するものである。
【背景技術】
【０００２】
従来より、テープ印刷装置に使用されるテープカセットに関して種々提案されている。
例えば、印字用テープとインクリボンとが収納されており、テープスプールに巻回されたレセプタタイプの印字用テープは、４つのコロに案内されて放出部から印字部を経て搬送される。また、リボンスプールに巻回されたインクリボンは、検出経路を経て放出部及び印字部において、印字用テープと略平行に添設され、リボン巻取りスプールに巻き取られるように構成されたテープカセットがある（例えば、特許文献１参照。）。
【特許文献１】特開平７−６８８１４号公報（段落（００１０）〜（００１８）、図２）
【発明の開示】
【発明が解決しようとする課題】
【０００３】
ここで、上述した特許文献１に記載されるテープカセットでは、印字用テープはインクリボンと対向する表面に印刷され、印字用テープの裏面側には粘着剤層が予め塗布され、この粘着剤層にセパレータが貼り付けられている。
しかしながら、セパレータは薄い剥離紙やフィルムテープ等で構成されるため、印刷後の印字用テープを貼り付ける際に、このセパレータを剥がすのに手間がかかるという問題がある。【０００４】
そこで、本発明は、上述した問題点を解決するためになされたものであり、印刷後のテープを貼り付ける際に、セパレータを剥がす手間を省くことができるテープカセットを提供することを目的とする。
【課題を解決するための手段】
【０００５】
前記目的を達成するため本発明のテープカセットは、長尺状のテープを搬送するためのテープ搬送手段と、前記テープに印刷する印刷手段と、を備えたテープ印刷装置に着脱可能に装着されるテープカセットにおいて、前記搬送手段は、回転可能且つ押し当て可能に設けられたテープサブローラを有し、一面にセパレータが貼着された前記テープを外部へ排出するテープ排出口と、前記テープ排出口のテープ搬送方向上流側に設けられて、前記一面にセパレータが貼着された前記テープを挟んで前記テープサブローラが圧接されると共に、該セパレータに接触しつつ該テープを引き出して搬送するテープ送りローラと、前記テープ排出口で前記テープから剥離された前記セパレータを前記テープ送りローラの外周面に沿って内側方向へ案内するセパレータ案内部と、前記セパレータ案内部から前記テープ送りローラの外周面に沿って内側方向へ案内された前記セパレータの先端部が固着されると共に、該セパレータが巻き取られるセパレータ巻き取りスプールと、を備えたことを特徴とする。【０００６】
このようなテープカセットでは、テープ送りローラとテープサブローラとによって一面にセパレータが貼着されたテープが引き出され、テープ排出口から外部に排出される際に、テープ排出口で該テープからセパレータが剥離された状態で搬送されることとなる。これにより、印刷後のテープを商品等に貼り付ける際に、セパレータを剥がす手間を省くことができる。【０００７】
また、テープ排出口でテープから剥離されたセパレータは、セパレータ案内部によってテープ送りローラの外周面に沿って内側方向へ案内されてセパレータ巻き取りスプールに巻き取られるため、剥離したセパレータをテープカセット内に収納することが可能となり、ユーザは両面粘着テープから剥離したセパレータを廃棄する手間を省くことができる。
また、セパレータは、テープ排出口でテープから剥離されてセパレータ案内部によってテープ送りローラの外周面に沿って内側方向へ案内されるため、セパレータがテープ側に撓んでテープに再度付着することを確実に防止でき、セパレータが剥離されたテープをテープ排出口から外部へスムーズに排出することが可能となる。【０００８】
また、本発明のテープカセットにおいて、前記セパレータ案内部は、前記テープ排出口のテープ搬送方向に対して直角方向の両内側壁部の間に前記両内側壁部と所定隙間を形成して前記テープに貼着されたセパレータに接触するように回転可能に設けられた剥離コロを有し、前記テープ排出口で前記テープから剥離された前記セパレータは、前記剥離コロの外周面に沿って前記テープ送りローラの外周面側方向へ案内されるようにしてもよい。【０００９】
このようなテープカセットでは、テープ排出口に設けられた剥離コロによってテープからセパレータをスムーズに剥離させることが可能となると共に、剥離コロは回転可能なため、テープ走行時の負荷を低減することができ、セパレータが剥離されたテープをテープ排出口から外部へ更にスムーズに排出することが可能となる。【００１０】
また、本発明のテープカセットにおいて、前記剥離コロは、前記テープ送りローラと前記テープサブローラとの共通接線よりも該テープサブローラ側の位置で前記セパレータに接触するように設けられ、前記テープは、前記テープ排出口から前記セパレータが貼着されていない面の方向に傾斜して排出されるようにしてもよい。【００１１】
このようなテープカセットでは、セパレータが剥離されたテープは、テープ排出口からセパレータが貼着されていない面の方向に傾斜して排出される。このため、テープからセパレータが剥離される際に、その粘着力によってテープがセパレータ側に引っ張られても、テープをテープ送りローラとテープサブローラとの共通接線よりも該テープサブローラ側で走行させることが可能となる。これにより、セパレータが剥離されたテープを確実に切断装置の固定刃と可動刃との間に進入させることが可能となる。【００１２】
また、本発明のテープカセットにおいて、前記剥離コロと前記テープ送りローラとの間において、前記セパレータと前記テープとの間に挿入されるように設けられた予備剥離部材を備えるようにしてもよい。【００１３】
このようなテープカセットでは、剥離コロとテープ送りローラとの間において、予備剥離部材によってセパレータがテープから一度剥離された後、再度テープに付着するため、テープのセパレータに対する粘着力を低下させた状態で剥離コロへテープを搬送することが可能となる。これにより、テープからセパレータを剥離コロの外周面に沿って容易に剥離することが可能となり、セパレータが剥離されたテープをテープ排出口へ更にスムーズに搬送することが可能となる。【００１４】
また、本発明のテープカセットにおいて、前記剥離コロは、前記テープ排出口よりもテープ搬送方向外側に突出するように設けてもよい。【００１５】
このようなテープカセットでは、剥離コロをテープ排出口よりもテープ搬送方向外側に突出するように設けることによって、この剥離コロの外径を大きくすることが可能となる。これにより、剥離コロの組付け作業を容易に行うことが可能になるとともに、セパレータが剥離されたテープがテープ排出口で詰まることをより確実に防止することが可能となる。【００１６】
また、本発明のテープカセットにおいて、前記テープ印刷装置は、前記テープを切断する切断装置を備え、前記切断装置は、固定刃と可動刃とを有し、前記剥離コロは、該テープ印刷装置に装着された場合には、前記固定刃に対向すると共に該固定刃に近接して配置されるようにしてもよい。【００１７】
このようなテープカセットでは、剥離コロは、固定刃に対向すると共に該固定刃に近接して配置されるため、テープ切断位置とテープの印刷位置との距離を短くすることが可能となり、印刷テープの余白長さを短くすることが可能となる。【００１８】
また、本発明のテープカセットにおいて、前記剥離コロに対して前記テープを挟んで対向する前記テープ排出口の内側壁部は、前記剥離コロよりもテープ搬送方向下流側へ延出されて設けられるようにしてもよい。【００１９】
このようなテープカセットでは、剥離コロに対してテープを挟んで対向するテープ排出口の内側壁部は、剥離コロよりもテープ搬送方向下流側へ延出されているため、テープのセパレータが貼着されていない面をより確実に案内することが可能となる。また、剥離コロがテープを切断する切断装置の固定刃に近接して配設された場合には、テープのセパレータが貼着されていない面をテープ切断位置の近傍まで確実に案内することが可能となる。【００２０】
また、本発明のテープカセットにおいて、前記セパレータ案内部は、前記テープ排出口の前記テープに貼着されたセパレータに接触する一方の側壁部に貫通して形成されて前記テープから剥離された前記セパレータが進入可能なセパレータ入口を有し、前記テープ排出口の外側端縁部で前記テープから剥離された前記セパレータは、前記セパレータ入口から進入して前記テープ送りローラの外周面側方向へ案内されるようにしてもよい。【００２１】
このようなテープカセットでは、テープ排出口の外側端縁部でテープから剥離されたセパレータは、セパレータに接触する一方の側壁部に貫通して形成されたセパレータ入口から進入してテープ送りローラの外周面側方向へ案内されてセパレータ巻き取りスプールに巻き取られるため、テープ排出口の外側端縁部で剥離したセパレータをテープカセット内にスムーズに収納することが可能となる。【００２２】
また、本発明のテープカセットにおいて、前記テープ排出口は、出口側の前記セパレータに対向する端縁部が前記テープ送りローラと前記テープサブローラとの共通接線よりも該テープサブローラ側の位置で前記セパレータに接触するように形成され、前記テープは、前記テープ排出口から前記セパレータが貼着されていない面の方向に傾斜して排出されるようにしてもよい。【００２３】
このようなテープカセットでは、セパレータが剥離されたテープは、テープ排出口からセパレータが貼着されていない面の方向に傾斜して排出される。このため、テープからセパレータが剥離される際に、その粘着力によってテープがセパレータ側に引っ張られても、テープをテープ送りローラとテープサブローラとの共通接線よりも該テープサブローラ側で走行させることが可能となる。これにより、セパレータが剥離されたテープを確実に切断装置の固定刃と可動刃との間に進入させることが可能となる。【００２４】
また、本発明のテープカセットにおいて、前記テープ排出口の入口側の端縁部と前記テープ送りローラとの間において、前記セパレータと前記テープとの間に挿入されるように設けられた予備剥離部材を備えるようにしてもよい。【００２５】
このようなテープカセットでは、テープ排出口の入口側の端縁部とテープ送りローラとの間において、予備剥離部材によってセパレータがテープから一度剥離された後、再度テープに付着するため、テープのセパレータに対する粘着力を低下させた状態で、このテープ排出口の外側端縁部へテープを搬送することが可能となる。これにより、テープからセパレータをテープ排出口の外側端縁部で容易に剥離することが可能となり、テープをテープ排出口へ更にスムーズに搬送することが可能となる。【００２６】
また、本発明のテープカセットにおいて、一面が前記セパレータで覆われて該セパレータを外側にして巻回されて回転可能に設けられて、前記テープの印刷された面に貼着される両面粘着テープを備え、前記テープは、巻回されて回転可能に設けられると共に、巻回された前記両面粘着テープに対向するように配置され、前記テープ送りローラは、前記テープと前記両面粘着テープとを前記テープサブローラとの間に挟んで引き出して搬送すると共に，該テープの印刷面に該両面粘着テープを圧着し、前記テープ排出口で前記両面粘着テープから剥離された前記セパレータは、前記セパレータ案内部から前記テープ送りローラの外周面に沿って内側方向へ案内された後、更に、巻回される前記両面粘着テープ側へ案内されて前記セパレータ巻き取りスプールに巻き取られるようにしてもよい。【００２７】
このようなテープカセットでは、両面粘着テープは、テープ送りローラとテープサブローラとによって、テープの印刷された一方の面に圧着された後、テープ排出口で該両面粘着テープからセパレータが剥離された状態で搬送されることとなる。これにより、印刷後のテープを商品等に貼り付ける際に、セパレータを剥がす手間を省くことができる。【００２８】
また、テープ排出口で両面粘着テープから剥離されたセパレータは、セパレータ案内部によってテープ送りローラの外周面側方向へ案内された後、両面粘着テープ側へ案内されてセパレータ巻き取りスプールに巻き取られるため、剥離したセパレータをテープカセット内に収納することが可能となり、ユーザは両面粘着テープから剥離したセパレータを廃棄する手間を省くことができる。【００２９】
また、セパレータは、テープ排出口で両面粘着テープから剥離されてセパレータ案内部によってテープ送りローラの外周面側方向へ案内された後、両面粘着テープ側へ案内されるため、セパレータがテープ側に撓んで両面粘着テープに再度付着することを確実に防止でき、セパレータが剥離されたテープをテープ排出口から外部へスムーズに排出することが可能となる。【００３０】
また、本発明のテープカセットにおいて、前記セパレータ案内部から巻回される前記両面粘着テープ側へ案内された前記セパレータを前記セパレータ巻き取りスプールまで案内する経路上に設けられたガイド部材を備え、前記セパレータ巻き取りスプールは、巻回される前記両面粘着テープと巻回される前記テープとの間に配設され、前記ガイド部材は、前記セパレータを前記セパレータ案内部から巻回される該両面粘着テープの引き出し側へ案内後、該両面粘着テープの外側周縁を通って前記セパレータ巻き取りスプールまで案内するようにしてもよい。【００３１】
このようなテープカセットでは、セパレータ巻き取りスプールは、巻回される両面粘着テープと巻回されるテープとの間に配設されているため、テープ印刷装置によるテープ印刷が行われることによってセパレータ巻き取りスプールに巻回可能なセパレータの最大巻回長さを容易に大きくすることができ、テープカセットの小型化を図ることが可能となる。また、ガイド部材を介して剥離したセパレータをセパレータ案内部から巻回される両面粘着テープの引き出し側へ案内後、該両面粘着テープの外側周縁を通ってセパレータ巻き取りスプールまで案内することによって、テープカセット内の隙間空間を有効に活用することができ、テープカセットの更なる小型化を図ることが可能となる。【００３２】
また、本発明のテープカセットにおいて、巻回される前記両面粘着テープと前記テープ送りローラとの間の前記両面粘着テープの経路上において、前記セパレータと該両面粘着テープとの間に挿入されるように設けられたセパレート予備剥離部材を備えるようにしてもよい。【００３３】
このようなテープカセットでは、セパレート予備剥離部材によってセパレータが両面粘着テープから一度剥離された後、再度両面粘着テープに貼り合わされてテープ送りローラへ搬送されるため、該両面粘着テープのセパレータに対する粘着力を低下させた状態でテープに圧着させることが可能となる。このため、テープに圧着された両面粘着テープからセパレータを容易に剥離することが可能となり、当該テープをテープ排出口へ更にスムーズに搬送することが可能となる。【００３４】
また、本発明のテープカセットにおいて、前記セパレータ巻き取りスプールは、該セパレータ巻き取りスプールに最も多く巻回された前記セパレータが、最も多く巻回された前記テープが占有した被印刷テープ占有領域と、最も多く巻回された前記両面粘着テープが占有した両面粘着テープ占有領域とのうちの少なくとも一方の一部領域を占有するように巻回される前記テープと巻回される前記両面粘着テープとの間に配設されるようにしてもよい。【００３５】
このようなテープカセットでは、セパレータ巻き取りスプールに巻回されたセパレータは、最も多くセパレータ巻き取りスプールに巻回された場合に、テープカセット使用開始時において巻回されたテープが配置されていた被印刷テープ占有領域と、テープカセット使用開始時において巻回された両面粘着テープが配置されていた両面粘着テープ占有領域とのうちの少なくとも一方の一部領域を占有する、つまり、少なくとも一方の一部領域を共通して利用する。従って、当該テープカセットは、被印刷テープ占有領域と両面粘着テープ占有領域の２つの領域のうちの少なくとも一方の一部領域を共通して利用することで、テープカセットの大型化を抑制することができ、もって、テープ印刷装置の大型化の抑制に貢献し得る。【００３６】
更に、本発明のテープカセットにおいて、前記テープは、被印刷面の裏側面を覆うようにセパレータが貼着されて、該セパレータを内側にして巻回されて回転可能に設けられるようにしてもよい。【００３７】
このようなテープカセットでは、テープ送りローラとテープサブローラとによって被印刷面の裏側面を覆うようにセパレータが貼着されたテープが引き出され、テープ排出口から外部に排出される際に、テープ排出口で該テープからセパレータが剥離された状態で搬送されることとなる。これにより、印刷後のテープを商品等に貼り付ける際に、セパレータを剥がす手間を省くことができる。【００３８】
また、テープ排出口でテープから剥離されたセパレータは、セパレータ案内部によってテープ送りローラの外周面に沿って内側方向へ案内されてセパレータ巻き取りスプールに巻き取られるため、剥離したセパレータをテープカセット内に収納することが可能となり、ユーザは両面粘着テープから剥離したセパレータを廃棄する手間を省くことができる。
また、セパレータは、テープ排出口でテープから剥離されてセパレータ案内部によってテープ送りローラの外周面に沿って内側方向へ案内されるため、セパレータがテープ側に撓んでテープに再度付着することを確実に防止でき、セパレータが剥離されたテープをテープ排出口から外部へスムーズに排出することが可能となる。
【図面の簡単な説明】
【００３９】
【図１】第１実施形態に係るテープ印刷装置の平面図である。
【図２】テープ印刷装置の右側面図である。
【図３】テープ印刷装置のカセット収納部にテープカセットを装着する状態を示す要部拡大斜視図である。
【図４】テープ印刷装置のカセット収納部にテープカセットを装着した状態でテープカセットの上ケースを取り外した場合の要部拡大平面図である。
【図５】図４のテープ排出口の周囲を拡大した要部拡大図である。
【図６】図５のテープ排出口のＸ１矢視図である。
【図７】両面粘着テープをフィルムテープへ圧着後、テープ排出口でセパレータが剥離される状態を模式的に示す図である。
【図８】第１実施形態に係るテープカセットにおけるテープスプール、両面粘着スプール、セパレータ巻き取りスプールの位置関係に関する説明図である。
【図９】第２実施形態に係るテープカセットの一例を示す要部拡大図である。
【図１０】図９のＸ２矢視部分拡大図である。
【図１１】第３実施形態に係るテープカセットの一例を示す要部拡大図である。
【図１２】第４実施形態に係るテープカセットの一例を示す要部拡大図である。
【図１３】図１２のＸ３矢視部分拡大図である。
【図１４】第５実施形態に係るテープカセットの一例を示す要部拡大図である。
【図１５】第６実施形態に係るテープカセットをテープ印刷装置のカセット収納部に装着した状態でテープカセットの上ケースを取り外した場合の要部拡大平面図である。
【図１６】図１５のテープ排出口の周囲を拡大した要部拡大図である。
【図１７】図１６のテープ排出口のＸ４矢視図である。
【図１８】両面粘着テープをフィルムテープへ圧着後、テープ排出口でセパレータが剥離される状態を模式的に示す図である。
【図１９】第６実施形態に係るテープカセットにおけるテープスプール、両面粘着スプール、セパレータ巻き取りスプールの位置関係に関する説明図である。
【図２０】第７実施形態に係るテープカセットの一例を示す要部拡大図である。
【図２１】図２０のＸ５矢視部分拡大図である。
【図２２】第８実施形態に係るテープカセットの一例を示す要部拡大図である。
【図２３】第９実施形態に係るテープカセットの一例を示す要部拡大図である。
【図２４】図２３のＸ６矢視部分拡大図である。
【図２５】第１０実施形態に係るテープカセットの一例を示す要部拡大図である。
【図２６】第１１実施形態に係るテープカセットをテープ印刷装置のカセット収納部に装着した状態でテープカセットの上ケースを取り外した場合の要部拡大平面図である。
【図２７】図２６のテープ排出口の周囲を拡大した要部拡大図である。
【図２８】図２７のテープ排出口のＸ７矢視図である。
【図２９】図２７のＸ８矢視部分拡大図である。
【図３０】図２７のＸ９矢視部分拡大図である。
【図３１】両面粘着テープをフィルムテープへ圧着後、セパレータが剥離される状態を模式的に示す図である。
【図３２】第１１実施形態に係るテープカセットにおけるテープスプール、両面粘着スプール、セパレータ巻き取りスプールの位置関係に関する説明図である。
【図３３】第１２実施形態に係るテープカセットの一例を示す要部拡大図である。
【図３４】図３３のＸ１０矢視部分拡大図である。
【図３５】両面粘着テープをフィルムテープへ圧着後、セパレータが剥離される状態を模式的に示す図である。
【図３６】第１３実施形態に係るテープ印刷装置のカセット収納部を示す要部拡大平面図である。
【図３７】第１３実施形態に係るテープカセットをカセット収納部に装着した状態でテープカセットの上ケースを取り外した場合の要部拡大平面図である。
【図３８】図３７のテープ排出口の周囲を拡大した要部拡大図である。
【図３９】図３８のテープ排出口のＸ１１矢視図である。
【図４０】図３７のテープ排出口でセパレータが剥離される状態を模式的に示す図である。
【図４１】第１４実施形態に係るテープカセットをカセット収納部に装着した状態でテープカセットの上ケースを取り外した場合の要部拡大平面図である。
【図４２】図４１のテープ排出口の周囲を拡大した要部拡大図である。
【図４３】図４２のテープ排出口のＸ１２矢視図である。
【図４４】図４１のテープ排出口でセパレータが剥離される状態を模式的に示す図である。
【図４５】第１５実施形態に係るテープカセットをカセット収納部に装着した状態でテープカセットの上ケースを取り外した場合の要部拡大平面図である。
【図４６】図４５のテープ排出口の周囲を拡大した要部拡大図である。
【図４７】図４６のテープ排出口のＸ１３矢視図である。
【図４８】図４５のテープ排出口でセパレータが剥離される状態を模式的に示す図である。
【図４９】第１６実施形態に係るテープカセットをカセット収納部に装着した状態でテープカセットの上ケースを取り外した場合の要部拡大平面図である。
【図５０】図４９のテープ排出口の周囲を拡大した要部拡大図である。
【図５１】図５０のテープ排出口のＸ１４矢視図である。
【図５２】図４９のテープ排出口でセパレータが剥離される状態を模式的に示す図である。
【発明を実施するための最良の形態】
【００４０】
以下、本発明に係るテープカセットについて具体化した第１実施形態乃至第１６実施形態に基づいて図面を参照しつつ詳細に説明する。【００４１】
［第１実施形態］
先ず、第１実施形態に係るテープカセットが装着されるテープ印刷装置の概略構成について図１乃至図３に基づき説明する。【００４２】
図１乃至図３に示すように、第１実施形態に係るテープ印刷装置１には、文書データからなるテキストを作成するための文字入力キー２、テキスト等の印刷を指示する印刷キー３、及び、改行指示や各種処理の実行、選択を指示するリターンキー４、文字等のキャラクタを複数行に渡って表示する液晶ディスプレイ（ＬＣＤ）７上でカーソルを上下、左右に移動させるカーソルキー５等を設けたキーボード６、及び、テープカセット２１を収納するカセット収納部８が収納カバー１３で覆われて配設されている。【００４３】
また、このキーボード６の下側には、制御回路部が構成される制御基板１２が配設されている。また、カセット収納部８の左側面部には、印刷されて後述のようにセパレータが剥離されたテープが排出されるラベル排出口１７が形成されている。また、該カセット収納部８の右側面部には、電源アダプタが取り付けられるアダプタ挿入口１８、及び不図示のパーソナルコンピュータと接続するためのＵＳＢケーブルが取り付けられるＵＳＢコネクタ１９が設けられている。【００４４】
また、このカセット収納部８には、サーマルヘッド９と、このサーマルヘッド９に対向するプラテンローラ１０と、このプラテンローラ１０の下流側のテープサブローラ１１と、このテープサブローラ１１に対向する金属製のテープ駆動ローラ軸１４と、テープカセット２１内に収納されるインクリボン５２（図４参照）を送るリボン巻取軸１５が配置されている他に、更に後述のように両面粘着テープ５３（図４参照）から剥離されたセパレータ５３Ｄ（図４参照）を巻き取るセパレータ巻取軸１６等が配置されている。また、プラテンローラ１０とテープサブローラ１１とは、一体的に揺動可能に設けられ、テープカセット２１が装着された場合には、それぞれサーマルヘッド９とテープ送りローラ６３（図４参照）に押し当てられる。【００４５】
このサーマルヘッド９は、正面視略縦長四角形の平板状で、前面の左端縁部には、所定個数の各発熱素子Ｒ1〜Ｒn（ｎは、例えば、１２８個又は２５６個である。）が、該左端縁部の辺に沿って一列に配列されて形成されている。また、該サーマルヘッド９は、メッキ鋼板やステンレス鋼板等により形成される正面視略四角形の放熱板９Ａの前面の左端縁部に、各発熱素子Ｒ1〜Ｒn の配列方向が、該放熱板９Ａの左端縁部の辺に平行になるように接着剤などによって固着されている。そして、該放熱板９Ａは、各発熱素子Ｒ1〜Ｒn の配列方向が、テープカセット２１の開口部２２におけるフィルムテープ５１（図４参照）の搬送方向に略直交するように、ビス止め等によってカセット収納部８の下側に取り付けられている。【００４６】
また、リボン巻取軸１５は、ステッピングモータ等により構成される不図示のテープ送りモータから適宜の駆動機構を介して回転駆動され、後述のようにテープカセット２１内に回転可能に設けられたリボン巻き取りスプール６１（図４参照）内に嵌入されて回転駆動する。また、テープ駆動ローラ軸１４は、テープ送りモータから適宜の伝達機構を介して回転駆動され、後述のようにテープカセット２１内に回転可能に設けられた導電性樹脂製のテープ送りローラ６３（図４参照）内に嵌入されて回転駆動する。また、セパレータ巻取軸１６は、テープ送りモータから適宜の伝達機構を介して回転駆動され、後述のようにテープカセット２１内に回転可能に設けられたセパレータ巻き取りスプール６２（図４参照）内に嵌入されて回転駆動する。【００４７】
尚、セパレータ巻取軸１６をテープ送りモータとは別個に設けられたステッピングモータ等により構成される不図示のセパレータ巻取モータから適宜の駆動機構を介して回転駆動するように構成してもよい。これにより、インクリボン５２とセパレータ５３Ｄの伸び率等が大きく異なっても該セパレータ５３Ｄを安定して巻き取ることが可能となる。【００４８】
また、図３に示すように、テープカセット２１のテープ排出口２７（図４参照）の近傍には、剥離コロ６５の外周面に沿ってセパレータ５３Ｄ（図７参照）が剥離された印刷済みテープ２８を所定の長さに切断し、セパレータ５３Ｄが剥離された両面粘着テープ付きラベルを生成する切断装置としてのはさみ式カッタユニット３０が配置されている。このカッタユニット３０は、固定刃３０Ａと、不図示の切断用モータによって固定刃３０Ａに対して作動して印刷済みテープ２８を切断する可動刃３０Ｂとから構成されている。【００４９】
また、カセット収納部８の底面部には、２つの位置決めピン４５、４６が、同一高さ寸法に立設されている。そして、テープカセット２１をカセット収納部８に装着した際には、テープカセット２１は、各位置決めピン４５、４６によってカセット収納部８内で適正に位置決めがされる。【００５０】
次ぎに、テープカセット２１の概略構成について図３乃至図７に基づいて説明する。
図３及び図４に示すように、テープカセット２１は、上ケース２３と下ケース２４とを有する。このテープカセット２１には、被印刷テープとしての透明なフィルムテープ５１を巻回したテープスプール５４を回転可能に支持する支持孔４１が形成されている。また、このテープカセット２１には、両面粘着テープ５３の剥離紙やフィルム等から形成されるセパレータ５３Ｄ（図７参照）を外側に向けて巻回した両面粘着スプール５６を回転可能に支持する支持孔４２が形成されている。【００５１】
また、このテープカセット２１には、テープスプール５４と両面粘着スプール５６との間の開口部２２側に配設されたリボン巻き取りスプール６１を回転可能に支持する支持孔４３が形成されている。このリボン巻き取りスプール６１は、サーマルヘッド９によりフィルムテープ５１上に文字等を印刷する際にリボンスプール５５からインクリボン５２を引き出すとともに、巻き取る。【００５２】
また、このテープカセット２１には、テープスプール５４と両面粘着スプール５６との間の開口部２２に対向する下ケース２４の側壁部２４Ａ側に配設されたセパレータ巻き取りスプール６２を回転可能に支持する支持孔４４が形成されている。このセパレータ巻き取りスプール６２は、剥離コロ６５の外周面に沿って両面粘着テープ５３から剥離されたセパレータ５３Ｄを巻き取る。また、下ケース２４の側壁部２４Ａのセパレータ巻き取りスプール６２に対向する部分は平面視略円弧状に突出するように形成されている。【００５３】
また、このテープカセット２１には、テープ送りローラ６３のテープ搬送方向下流側、つまり、テープ排出口２７側に離間して配置された剥離コロ６５を回転可能に支持する支持孔４８が形成されている。【００５４】
また、図５及び図６に示すように、テープ排出口２７は、テープ送りローラ６３とテープサブローラ１１とによって送り出された印刷済みテープ２８のテープ厚さ方向に剥離コロ６５の外径よりも大きい幅広に開設されると共に、印刷済みテープ２８のテープ幅方向に該印刷済みテープ２８のテープ幅とほぼ同じ幅に開設されている。【００５５】
また、剥離コロ６５は、テープ排出口２７のテープ搬送方向に対して直角方向の両内側側壁部を形成する側壁部２４Ｂの印刷済みテープ２８側の端縁部から所定距離離間すると共に、印刷済みテープ２８のフィルムテープ５１の外側面に接触して該印刷済みテープ２８をテープ搬送方向下流側へ案内する案内壁３３から所定距離離間するように配置されている。【００５６】
また、この剥離コロ６５は、印刷済みテープ２８のテープ幅、つまり、両面粘着テープ５３のテープ幅とほぼ同じ長さの断面円形の略円柱形状で、両端面中心位置に各支持孔４８に回転可能に嵌入される各支持軸６５Ａが立設されている。また、剥離コロ６５は、外周面にシリコーン樹脂皮膜が形成されている。【００５７】
また、剥離コロ６５は、外周面がテープ送りローラ６３とテープサブローラ１１との共通接線にほぼ接するように、該テープ送りローラ６３側に配置され、該テープ送りローラ６３とテープサブローラ１１とを通過してフィルムテープ５１に圧着された両面粘着テープ５３のセパレータ５３Ｄに接触し、該セパレータ５３Ｄを外周面に沿ってテープ送りローラ６３側へ案内する（図７参照）。【００５８】
また、剥離コロ６５は、テープ送りローラ６３に対向する側壁部２４Ｂよりもテープ搬送方向外側に突出して、固定刃３０Ａに対向すると共に該固定刃３０Ａに近接するように設けられている。
また、剥離コロ６５に対して印刷済みテープ２８を挟んで対向する案内壁３３は、この剥離コロ６５よりもテープ搬送方向下流側へ延出されて、セパレータ５３Ｄが剥離された印刷済みテープ２８を固定刃３０Ａの近傍位置まで案内可能となるように設けられている。【００５９】
また、剥離コロ６５に対してセパレータ５３Ｄを挟んで対向する側壁部２４Ｂの端縁部の内側面は、剥離コロ６５とテープ送りローラ６３との共通接線に対してほぼ平行になるように斜め内側方向（図５中、斜め右上方向である。）に傾斜するように形成されている。これにより、両面粘着テープ５３から剥離コロ６５の外周面に沿って剥離されてテープ送りローラ６３側へ案内されたセパレータ５３Ｄが、側壁部２４Ｂの端縁部と接触するのを防止することができる。【００６０】
また、図４に示すように、このテープカセット２１には、両面粘着スプール５６に巻回された両面粘着テープ５３の最大径時の外周面と下ケース２４の各側壁部２４Ａ、２４Ｃとの間に、この両面粘着テープ５３の引出口から下ケース２４の側壁部２４Ａに対向する部分までを覆う平面視略半円形状の案内リブ３５が底面部に立設されている。また、案内リブ３５の下ケース２４の各側壁部２４Ａ、２４Ｃに対向する部分には、テープ幅方向に沿って所定高さ（例えば、高さ約１ｍｍである。）突出する各凸状部３５Ａ、３５Ｂが全幅に渡って形成されている。【００６１】
また、両面粘着スプール５６に巻回された両面粘着テープ５３に対向する下ケース２４の隅部と案内リブ３５との間には、略円柱形状のガイドピン３６が立設されている。また、上ケース２３のガイドピン３６に対向する部分には、このガイドピン３６の端縁部が嵌入されて支持する支持孔４９が形成されている。また、テープ送りローラ６３のテープサブローラ１１に対して反対側には、セパレータ５３Ｄとの接触面を平面視円弧状に形成されたセパレータ案内壁３７が、側壁部２４Ｃから該テープ送りローラ６３と所定隙間を形成して内側方向に突出している。【００６２】
尚、図３中には、上ケース２３に形成された各支持孔４１、４２、４３、４４、４８のみしか図示されていないが、下ケース２４についても同様に上ケース２３の各支持孔４１、４２、４３、４４、４８に対向して各支持孔４１、４２、４３、４４、４８が形成されている。【００６３】
また、図４に示すように、テープカセット２１内には、透明テープ等からなる被印刷テープであるフィルムテープ５１、このフィルムテープ５１に印刷を施すためのインクリボン５２、更には、印刷がなされたフィルムテープ５１に裏貼りされる両面粘着テープ５３を各々、テープスプール５４、リボンスプール５５、両面粘着スプール５６に巻回して、下ケース２４の底面に立設されるカセットボス５８、リールボス５９、カセットボス６０に回転可能に嵌挿して収納したものであり、更に、使用済みのインクリボン５２を巻き取るリボン巻き取りスプール６１、及び両面粘着テープ５３から剥離されたセパレータ５３Ｄを巻き取るセパレータ巻き取りスプール６２を備えている。【００６４】
尚、図４に示すように、リボン巻き取りスプール６１の下部にはクラッチバネ６４が取り付けられている。このクラッチバネ６４はリボン巻き取りスプール６１が逆転して巻き取ったインクリボン５２が緩んでしまうことを防止するものである。また、セパレータ巻き取りスプール６２の下部にはクラッチバネ６６が取り付けられている。このクラッチバネ６６はセパレータ巻き取りスプール６２が逆転して巻き取ったセパレータ５３Ｄが緩んでしまうことを防止するものである。【００６５】
また、図４に示すように、リボンスプール５５に巻回され、このリボンスプール５５から引き出された未使用インクリボン５２は、フィルムテープ５１と重ね合わされ、フィルムテープ５１と共に開口部２２に入り、サーマルヘッド９及びプラテンローラ１０の間を通過する。その後、インクリボン５２は、フィルムテープ５１から引き離され、リボン巻取軸１５により回転駆動されるリボン巻き取りスプール６１に至り、このリボン巻き取りスプール６１により巻き取られる。【００６６】
また、図７に示すように、セパレータ５３Ｄを外側にして両面粘着スプール５６に巻回された両面粘着テープ５３は、４層構造に構成されている。この両面粘着テープ５３の各層は、図７中下側から上側方向へ向かって、フィルムテープ５１を接着するための粘着層５３Ａ、ＰＥＴ（ポリエチレンテレフタラート）等から成る色付きのベースフィルム５３Ｂ、商品等の貼り付け対象に貼り付けるための粘着層５３Ｃ、この粘着層５３Ｃの貼り付け側を覆うセパレータ５３Ｄの順序で積層されて構成されている。【００６７】
そして、図４乃至図７に示すように、両面粘着スプール５６から引き出された両面粘着テープ５３は、テープ駆動ローラ軸１４によって回転駆動されるテープ送りローラ６３とテープサブローラ１１との間を通過し、セパレータ５３Ｄが重ね合わされない側の粘着層５３Ａがフィルムテープ５１の印刷面に圧着される。【００６８】
その後、セパレータ５３Ｄは、剥離コロ６５の外周面に沿ってフィルムテープ５１に圧着された両面粘着テープ５３から剥離され、テープ送りローラ６３の外周面に沿って両面粘着スプール５６側に、つまり、引き出し側方向（図４中、上側方向である。）へ案内される。続いて、セパレータ５３Ｄは、セパレータ案内壁３７の壁面に沿って案内リブ３５の外側方向に案内されて、凸状部３５Ａ、ガイドピン３６及び凸状部３５Ｂの外周面に順次沿って、巻回された両面粘着テープ５３の外側周縁を通って略直角内側方向へ案内されてセパレータ巻き取りスプール６２に至る。【００６９】
そして、セパレータ５３Ｄの先端部は、このセパレータ巻き取りスプール６２の外周面に接着テープ等によって固着され、セパレータ巻取軸１６により回転駆動される該セパレータ巻き取りスプール６２に巻き取られる。尚、セパレータ巻取軸１６は、テープ駆動ローラ軸１４及びリボン巻取軸１５と同期して回転駆動される。【００７０】
また、フィルムテープ５１は、テープ駆動ローラ軸１４によって回転駆動されるテープ送りローラ６３とテープサブローラ１１との間を通過後、印刷面に粘着層５３Ａ、ベースフィルム５３Ｂ、粘着層５３Ｃ及びセパレータ５３Ｄが積層された状態で剥離コロ６５に至る。そして、この剥離コロ６５の外周面に沿ってセパレータ５３Ｄが剥離されて、印刷面に粘着層５３Ａ、ベースフィルム５３Ｂ及び粘着層５３Ｃが積層された状態で、つまり、セパレータ５３Ｄが剥離された粘着剤付き印刷済みテープ２８の状態で、該剥離コロ６５に対して印刷済みテープ２８を挟んで対向する案内壁３３によって案内されて、テープ排出口２７からテープカセット２１の外部に送り出される。そして、セパレータ５３Ｄが剥離された粘着剤付き印刷済みテープ２８は、カッタユニット３０を経てテープ印刷装置１のラベル排出口１７より外部に送り出される。【００７１】
そして、印刷済みテープ２８を所定長さ搬送後、不図示の切断用モータを駆動して可動刃３０Ｂを作動させることによって、セパレータ５３Ｄが剥離された所定長さの粘着剤付き印刷済みテープ２８がラベル排出口１７より排出される。【００７２】
続いて、テープカセット２１におけるテープスプール５４、両面粘着スプール５６、セパレータ巻き取りスプール６２の位置関係について図８に基づいて説明する。
上述したように、テープカセット２１において、テープスプール５４に巻回されているフィルムテープ５１は、テープ印刷装置１による印刷が行われる度に引き出される。従って、テープカセット２１の使用開始時において、最も多くのフィルムテープ５１がテープスプール５４に巻回されている（図４参照）。
ここで、テープカセット２１の使用開始時点において、テープスプール５４に巻回されているフィルムテープ５１が占有する領域を「フィルムテープ占有領域６７」という。また、このフィルムテープ占有領域６７の半径を「フィルムテープ巻回半径Ｒ１」という。【００７３】
また、フィルムテープ５１と同様に、両面粘着テープ５３は、テープ印刷装置１による印刷が行われる度に、両面粘着スプール５６から引き出される。従って、テープカセット２１の使用開始時において、最も多くの両面粘着テープ５３が両面粘着スプール５６に巻回されている（図４参照）。
ここで、テープカセット２１の使用開始時点において、両面粘着スプール５６に巻回されている両面粘着テープ５３が占有する領域を「両面粘着テープ占有領域６８」という。また、この両面粘着テープ占有領域６８の半径を「両面粘着テープ巻回半径Ｒ２」という。【００７４】
そして、テープカセット２１においては、セパレータ５３Ｄはテープ印刷装置１による印刷が行われる毎に、両面粘着テープ５３から剥離され、セパレータ巻き取りスプール６２に巻回される。従って、テープカセット２１の使用完了時（即ち、テープカセット２１がラベルの作成にフィルムテープ５１等を使い切った時）に、セパレータ５３Ｄは、セパレータ巻き取りスプール６２に対して最も多く巻回され、テープカセット２１の内部において最も大きなスペースを占有する。尚、以下の説明において、セパレータ巻き取りスプール６２に最も多く巻回されたセパレータ５３Ｄが占有するスペースの半径を「セパレータ巻回半径Ｒ３」という。【００７５】
上述したように、セパレータ巻き取りスプール６２は、テープスプール５４と両面粘着スプール５６との間に、回転可能に配設されている。そして、図８に示すように、テープカセット２１では、テープスプール５４の回転中心軸と、セパレータ巻き取りスプール６２の回転中心軸を結ぶ直線距離（以下、第１軸間距離Ｌ１という。）は、セパレータ巻回半径Ｒ３とフィルムテープ巻回半径Ｒ１との和よりも小さくなるように構成されている。従って、テープカセット２１の使用終了時において、セパレータ巻き取りスプール６２に巻回されたセパレータ５３Ｄは、フィルムテープ占有領域６７の一部分を占有する。【００７６】
即ち、第１軸間距離Ｌ１を、セパレータ巻回半径Ｒ３とフィルムテープ巻回半径Ｒ１との和よりも小さくすることにより、テープカセット２１は、フィルムテープ５１とセパレータ５３Ｄが共通して利用する第１重複領域６９を生じさせる。これにより、テープカセット２１は、第１重複領域６９の大きさに応じて、テープカセット２１自体の大型化を抑制し得る。また、テープカセット２１の大型化を抑制することにより、当該テープカセット２１は、テープ印刷装置１本体の大型化も抑制し得る。【００７７】
また、テープカセット２１では、両面粘着スプール５６の回転中心軸と、セパレータ巻き取りスプール６２の回転中心軸を結ぶ直線距離（以下、第２軸間距離Ｌ２という。）は、セパレータ巻回半径Ｒ３と両面粘着テープ巻回半径Ｒ２との和よりも小さくなるように構成されている。従って、テープカセット２１の使用終了時において、セパレータ巻き取りスプール６２に巻回されたセパレータ５３Ｄは、両面粘着テープ占有領域６８の一部分を占有する。【００７８】
即ち、第２軸間距離Ｌ２を、セパレータ巻回半径Ｒ３と両面粘着テープ巻回半径Ｒ２との和よりも小さくすることにより、テープカセット２１は、両面粘着テープ５３とセパレータ５３Ｄとが共通して利用する第２重複領域７０を生じさせる。これにより、テープカセット２１は、第２重複領域７０の大きさに応じて、テープカセット２１自体の大型化を抑制し得る。また、テープカセット２１の大型化を抑制することにより、当該テープカセット２１は、テープ印刷装置１本体の大型化も抑制し得る。【００７９】
従って、テープカセット２１は、図８に示すように、第１重複領域６９と第２重複領域７０との何れをも生じさせるので、第１重複領域６９の大きさと、第２重複領域７０の大きさに応じて、テープカセット２１の大型化を更に抑制し得る。そして、これに伴い、テープカセット２１は、テープ印刷装置１の大型化についても更に抑制し得る。【００８０】
尚、テープスプール５４と両面粘着スプール５６との距離を図８に示す状態よりも大きくして、セパレータ巻き取りスプール６２をテープカセット２１の内側方向へ移動させてもよい。そして、第１軸間距離Ｌ１をセパレータ巻回半径Ｒ３とフィルムテープ巻回半径Ｒ１との和よりも大きくなるように構成し、且つ、第２軸間距離Ｌ２をセパレータ巻回半径Ｒ３と両面粘着テープ巻回半径Ｒ２との和よりも小さくなるように構成してもよい。又は、第１軸間距離Ｌ１をセパレータ巻回半径Ｒ３とフィルムテープ巻回半径Ｒ１との和よりも小さくなるように構成し、且つ、第２軸間距離Ｌ２をセパレータ巻回半径Ｒ３と両面粘着テープ巻回半径Ｒ２との和よりも大きくなるように構成してもよい。【００８１】
これにより、テープカセット２１は、第１重複領域６９と第２重複領域７０のうちの何れか一方を生じさせるので、第１重複領域６９の大きさと、第２重複領域７０の大きさに応じて、テープカセット２１の大型化を抑制し得る。そして、これに伴い、テープカセット２１は、テープ印刷装置１の大型化についても更に抑制し得る。【００８２】
従って、第１実施形態に係るテープカセット２１では、両面粘着テープ５３は、テープ送りローラ６３とテープサブローラ１１とによって、フィルムテープ５１の印刷された一方の面に圧着された後、テープ排出口２７で該両面粘着テープ５３からセパレータ５３Ｄが剥離された状態で搬送されることとなる。これにより、所定長さに切断された印刷済みテープ２８を商品等に貼り付ける際に、セパレータ５３Ｄを剥がす手間を省くことができる。【００８３】
また、テープ排出口２７で両面粘着テープ５３から剥離コロ６５の外周面に沿って剥離されたセパレータ５３Ｄは、テープ送りローラ６３とセパレータ案内壁３７との間、つまり、両面粘着スプール５６側へ案内された後、凸状部３５Ａ、ガイドピン３６及び凸状部３５Ｂによって巻回された両面粘着テープ５３の外側周縁を通って略直角内側方向へ案内されて、セパレータ巻き取りスプール６２に巻き取られるため、剥離したセパレータ５３Ｄをテープカセット２１内に収納することが可能となり、ユーザは両面粘着テープ５３から剥離したセパレータ５３Ｄを廃棄する手間を省くことができる。【００８４】
また、セパレータ５３Ｄは、テープ排出口２７で両面粘着テープ５３から剥離コロ６５の外周面に沿って剥離されて、テープ送りローラ６３とセパレータ案内壁３７との間、つまり、両面粘着スプール５６側へ案内されるため、セパレータ５３Ｄが印刷済みテープ２８側に撓んで両面粘着テープ５３の粘着層５３Ｃに再度付着することを確実に防止でき、当該印刷済みテープ２８をテープ排出口２７から外部へスムーズに排出することが可能となる。【００８５】
また、剥離コロ６５は回転可能なため、印刷済みテープ２８の走行時の負荷を低減することができ、該印刷済みテープ２８をテープ排出口２７から外部へスムーズに排出することが可能となる。
また、剥離コロ６５をテープ排出口２７よりもテープ搬送方向外側に突出するように設けることによって、この剥離コロ６５の外径を大きくすることが可能となる。これにより、剥離コロ６５の組付け作業を容易に行うことが可能になるとともに、粘着剤付き印刷済みテープ２８が、テープ排出口２７で詰まることをより確実に防止することが可能となる。【００８６】
また、剥離コロ６５は、固定刃３０Ａに対向すると共に該固定刃３０Ａに近接して配置されるため、テープ切断位置と印刷済みテープ２８の印刷位置との距離を短くすることが可能となり、印刷済みテープ２８の余白長さを短くすることが可能となる。【００８７】
また、剥離コロ６５に対して印刷済みテープ２８を挟んで対向する案内壁３３は、この剥離コロ６５よりもテープ搬送方向下流側へ延出されているため、印刷済みテープ２８の印刷面の裏面側をより確実に案内することが可能となる。また、剥離コロ６５が固定刃３０Ａに近接して配設されるため、印刷済みテープ２８の印刷面の裏面側をテープ切断位置、つまり、固定刃３０Ａの刃先の近傍まで確実に案内することが可能となる。【００８８】
更に、セパレータ巻き取りスプール６２は、両面粘着スプール５６とテープスプール５４との間に配設されているため、テープ印刷装置１によるテープ印刷が行われることによってセパレータ巻き取りスプール６２に巻回可能なセパレータ５３Ｄの最大巻回長さを容易に大きくすることができ、テープカセット２１の小型化を図ることが可能となる。【００８９】
また、剥離したセパレータ５３Ｄを剥離コロ６５の外周面に沿ってテープ送りローラ６３とセパレータ案内壁３７との間、つまり、両面粘着スプール５６側へ案内後、セパレータ案内壁３７、凸状部３５Ａ、ガイドピン３６及び凸状部３５Ｂによって巻回された両面粘着テープ５３の外側周縁を通ってセパレータ巻き取りスプール６２まで案内することによって、テープカセット２１内の隙間空間を有効に活用することができ、テープカセット２１の更なる小型化を図ることが可能となる。【００９０】
［第２実施形態］
次に、第２実施形態に係るテープカセット７１について図９及び図１０に基づいて説明する。尚、以下の説明において上記図１乃至図８の第１実施形態に係るテープカセット２１及びテープ印刷装置１の構成等と同一符号は、該第１実施形態に係るテープカセット２１及びテープ印刷装置１等の構成等と同一あるいは相当部分を示すものである。【００９１】
第２実施形態に係るテープカセット７１の概略構成は、第１実施形態に係るテープカセット２１とほぼ同じ構成である。
但し、図９及び図１０に示すように、テープ送りローラ６３と剥離コロ６５との間の、フィルムテープ５１の印刷面に両面粘着テープ５３が圧着された印刷済みテープ２８の経路上において、当該両面粘着テープ５３のセパレータ５３Ｄと粘着層５３Ｃとの間に挿入されるように、予備剥離部材の一例としての予備剥離ピン７２が設けられている。【００９２】
つまり、予備剥離ピン７２によって両面粘着テープ５３からセパレータ５３Ｄが一度剥離されている。そして、予備剥離ピン７２によって両面粘着テープ５３から一度剥離されたセパレータ５３Ｄは、該予備剥離ピン７２を通過後、再度、両面粘着テープ５３の粘着層５３Ｃに貼り合わされて、剥離コロ６５の外周面に沿って剥離されている。【００９３】
この予備剥離ピン７２は、両面粘着テープ５３のテープ幅よりも長い断面円形の略円柱形状で、両端面中心位置に各支持軸７２Ａが立設されている。また、この予備剥離ピン７２の外周面には、シリコーン樹脂皮膜が形成されている。また、テープカセット７１の上ケース２３及び下ケース２４には、予備剥離ピン７２の各支持軸７２Ａを回転可能に支持する各支持孔７３が形成されている。そして、予備剥離ピン７２の各支持軸７２Ａは、各支持孔７３に挿入されて、回転可能に設けられている。【００９４】
従って、第２実施形態に係るテープカセット７１では、予備剥離ピン７２は、両端部が回転可能に支持されると共に、両面粘着テープ５３の粘着層５３Ｃ及びセパレータ５３Ｄの全幅に渡って接触する。【００９５】
これにより、第２実施形態に係るテープカセット７１では、第１実施形態に係るテープカセット２１が奏する上記作用効果に加えて、予備剥離ピン７２によってセパレータ５３Ｄが両面粘着テープ５３から一度剥離された後、再度両面粘着テープ５３の粘着層５３Ｃに貼り合わされて剥離コロ６５へ搬送されるため、該両面粘着テープ５３のセパレータ５３Ｄに対する粘着力を低下させた状態で印刷済みテープ２８を剥離コロ６５へ搬送することが可能となる。【００９６】
このため、フィルムテープ５１に圧着された両面粘着テープ５３からセパレータ５３Ｄを剥離コロ６５の外周面に沿って容易に剥離することが可能となり、セパレータ５３Ｄが剥離された粘着剤付き印刷済みテープ２８をテープ排出口２７へスムーズに搬送することが可能となる。【００９７】
［第３実施形態］
次に、第３実施形態に係るテープカセット８１について図１１に基づいて説明する。尚、以下の説明において上記図１乃至図８の第１実施形態に係るテープカセット２１及びテープ印刷装置１の構成等と同一符号は、該第１実施形態に係るテープカセット２１及びテープ印刷装置１等の構成等と同一あるいは相当部分を示すものである。また、上記図９及び図１０の第２実施形態に係るテープカセット７１の構成等と同一符号は、該第２実施形態に係るテープカセット７１の構成等と同一あるいは相当部分を示すものである。【００９８】
第３実施形態に係るテープカセット８１の概略構成は、第２実施形態に係るテープカセット７１とほぼ同じ構成である。
但し、図１１に示すように、剥離コロ６５の外周面が、テープ送りローラ６３とテープサブローラ１１との共通接線８２よりもテープサブローラ１１側に突出するように、テープ厚さ方向に移動されて配置されている。また、案内壁３３は、剥離コロ６５に対向する面のテープ搬送方向下流側、つまり、出口側の端縁部が、当該剥離コロ６５の外周面とテープ送りローラ６３の外周面との共通接線上にほぼ位置するように形成されている。【００９９】
従って、第３実施形態に係るテープカセット８１では、予備剥離ピン７２によって両面粘着テープ５３から一度剥離されたセパレータ５３Ｄは、該予備剥離ピン７２を通過後、再度、両面粘着テープ５３の粘着層５３Ｃに貼り合わされて、剥離コロ６５の外周面に沿って剥離されている。また、予備剥離ピン７２によって両面粘着テープ５３からセパレータ５３Ｄが剥離された印刷済みテープ２８は、剥離コロ６５の外周面とテープ送りローラ６３の外周面との共通接線上を経由して、剥離コロ６５の外周面に至る。【０１００】
そして、印刷済みテープ２８は、該剥離コロ６５の外周面に沿ってセパレータ５３Ｄが剥離された後、案内壁３３の出口側の端縁部に接触しつつ外部へ排出される。つまり、両面粘着テープ５３からセパレータ５３Ｄが剥離された印刷済みテープ２８は、テープ排出口２７から両面粘着テープ５３が貼着されていない面の方向に傾斜して外部へ排出される。【０１０１】
これにより、第３実施形態に係るテープカセット８１では、前記第２実施形態に係るテープカセット７１が奏する上記作用効果に加えて、両面粘着テープ５３からセパレータ５３Ｄが剥離コロ６５の外周面に沿って剥離される際に、その粘着力によって印刷済みテープ２８がセパレータ５３Ｄ側に引っ張られても、印刷済みテープ２８をテープ送りローラ６３とテープサブローラ１１との共通接線よりも該テープサブローラ１１側で走行させることが可能となる。これにより、印刷済みテープ２８を確実に固定刃３０Ａと可動刃３０Ｂとの間に進入させることが可能となる。【０１０２】
尚、テープカセット８１の予備剥離ピン７２を取り除くようにしてもよい。これにより、前記第１実施形態に係るテープカセット２１が奏する上記作用効果に加えて、両面粘着テープ５３からセパレータ５３Ｄが剥離コロ６５の外周面に沿って剥離される際に、その粘着力によって印刷済みテープ２８がセパレータ５３Ｄ側に引っ張られても、印刷済みテープ２８をテープ送りローラ６３とテープサブローラ１１との共通接線よりも該テープサブローラ１１側で走行させることが可能となる。これにより、印刷済みテープ２８を確実に固定刃３０Ａと可動刃３０Ｂとの間に進入させることが可能となる。【０１０３】
［第４実施形態］
次に、第４実施形態に係るテープカセット７１について図１２及び図１３に基づいて説明する。尚、以下の説明において上記図１乃至図８の第１実施形態に係るテープカセット２１及びテープ印刷装置１の構成等と同一符号は、該第１実施形態に係るテープカセット２１及びテープ印刷装置１等の構成等と同一あるいは相当部分を示すものである。【０１０４】
第４実施形態に係るテープカセット９１の概略構成は、第１実施形態に係るテープカセット２１とほぼ同じ構成である。
但し、図１２及び図１３に示すように、両面粘着スプール５６とテープ送りローラ６３との間、つまり、両面粘着テープ５３の引出口とテープ送りローラ６３との間の該両面粘着テープ５３の経路上において、両面粘着テープ５３のセパレータ５３Ｄと粘着層５３Ｃとの間に挿入されるように、予備剥離部材の一例としての予備剥離ピン９２が設けられている。【０１０５】
また、予備剥離ピン９２の両面粘着テープ５３の搬送方向上流側には、テープカセット９１の上ケース２３と下ケース２４のそれぞれから、該両面粘着テープ５３の幅寸法にほぼ等しい距離で相対向するように突出した平面視略横長四角形の一対の上流側ガイド部９５Ａ、９５Ｂが設けられている。これにより、一対の上流側ガイド部９５Ａ、９５Ｂによって、両面粘着テープ５３の幅方向への移動を規制しつつ、この両面粘着テープ５３を予備剥離ピン９２へ摺動案内することが可能となる。
尚、この一対の上流側ガイド部９５Ａ、９５Ｂは、設けなくてもよい。【０１０６】
また、予備剥離ピン９２の両面粘着テープ５３の搬送方向下流側には、一対の下流側コロ９６Ａ、９６Ｂが、両面粘着テープ５３を挟んで、該両面粘着テープ５３の厚さにほぼ等しい距離で対向するように設けられている。そして、予備剥離ピン９２によって両面粘着テープ５３から一度剥離されたセパレータ５３Ｄと、該セパレータ５３Ｄが剥離された両面粘着テープ５３とが、一対の下流側コロ９６Ａ、９６Ｂ間を通って引き出されている。【０１０７】
つまり、両面粘着スプール５６から引き出された両面粘着テープ５３は、一対の上流側ガイド部９５Ａ、９５Ｂの間を幅方向への移動を規制されつつ通過して、予備剥離ピン９２に案内された後、この予備剥離ピン９２によって両面粘着テープ５３からセパレータ５３Ｄが一度剥離される。そして、予備剥離ピン９２によって両面粘着テープ５３から一度剥離されたセパレータ５３Ｄと、該セパレータ５３Ｄが剥離された両面粘着テープ５３とは、該予備剥離ピン９２を通過後、一対の下流側コロ９６Ａ、９６Ｂの間を通過する。更に、この一対の下流側コロ９６Ａ、９６Ｂの間を通過したセパレータ５３Ｄは、再度、両面粘着テープ５３の粘着層５３Ｃに貼り合わされて、テープ送りローラ６３の外周面に沿って引き出されている。【０１０８】
また、予備剥離ピン９２は、両面粘着テープ５３のテープ幅よりも長い断面円形の略円柱形状で、両端面中心位置に各支持軸９２Ａが立設されている。また、この予備剥離ピン９２の外周面には、シリコーン樹脂皮膜が形成されている。また、テープカセット９１の上ケース２３及び下ケース２４には、予備剥離ピン９２の各支持軸９２Ａを回転可能に支持する各支持孔９３が形成されている。【０１０９】
従って、この予備剥離ピン９２は、各支持軸９２Ａが各支持孔９３に挿入されて、回転可能に設けられるため、該予備剥離ピン９２は、両端部が回転可能に支持されると共に、両面粘着テープ５３の粘着層５３Ｃ及びセパレータ５３Ｄの全幅に渡って接触する。【０１１０】
また、一対の下流側コロ９６Ａ、９６Ｂは、両面粘着テープ５３のテープ幅とほぼ等しい長さの断面円形の略円柱形状で、それぞれの両端面中心位置に各支持軸９７が立設されている。また、各下流側コロ９６Ａ、９６Ｂの外周面には、シリコーン樹脂皮膜が形成されている。また、テープカセット９１の上ケース２３及び下ケース２４には、両面粘着テープ５３の両側縁部に接触して幅方向の移動を規制すると共に両面粘着テープ５３を搬送方向へ摺動案内可能に突出する平面視略横長四角形の各段差部９８、９８が設けられている。【０１１１】
また、各段差部９８、９８には、各下流側コロ９６Ａ、９６Ｂの各支持軸９７を回転可能に支持する一対の支持孔９９が形成されている。そして、各下流側コロ９６Ａ、９６Ｂの各支持軸９７は、各支持孔９９に挿入されて、回転可能に支持されると共に、両面粘着テープ５３の厚さにほぼ等しい距離で対向するように設けられている。尚、各下流側コロ９６Ａ、９６Ｂのうちの少なくとも両面粘着テープ５３の粘着層５３Ａに接触する下流側コロ９６Ｂの外周面だけに、シリコーン樹脂皮膜を形成するようにしてもよい。【０１１２】
従って、第４実施形態に係るテープカセット９１では、両面粘着スプール５６から引き出された両面粘着テープ５３は、一対の上流側ガイド部９５Ａ、９５Ｂの間を幅方向への移動を規制されつつ通過後、両端部を回転可能に支持される予備剥離ピン９２によってセパレータ５３Ｄが両面粘着テープ５３から剥離される。その後、セパレータ５３Ｄと、セパレータ５３Ｄが剥離された両面粘着テープ５３とは、各段差部９８、９８と各下流側コロ９６Ａ、９６Ｂとの間を通過することによって、該セパレータ５３Ｄは、再度、両面粘着テープ５３の粘着層５３Ｃに貼り合わされて、テープ送りローラ６３の外周面に沿って引き出される。【０１１３】
これにより、第４実施形態に係るテープカセット９１では、第１実施形態に係るテープカセット２１が奏する上記作用効果に加えて、予備剥離ピン９２によってセパレータ５３Ｄが両面粘着テープ５３から一度剥離された後、再度両面粘着テープ５３の粘着層５３Ｃに貼り合わされてテープ送りローラ６３へ搬送されるため、該両面粘着テープ５３のセパレータ５３Ｄに対する粘着力を低下させた状態でフィルムテープ５１の印刷面に圧着させることが可能となる。【０１１４】
このため、フィルムテープ５１に圧着された両面粘着テープ５３からセパレータ５３Ｄを剥離コロ６５の外周面に沿って容易に剥離することが可能となり、セパレータ５３Ｄが剥離された粘着剤付き印刷済みテープ２８をテープ排出口２７へスムーズに搬送することが可能となる。【０１１５】
［第５実施形態］
次に、第５実施形態に係るテープカセット１０１について図１４に基づいて説明する。尚、以下の説明において上記図１乃至図８の第１実施形態に係るテープカセット２１及びテープ印刷装置１の構成等と同一符号は、該第１実施形態に係るテープカセット２１及びテープ印刷装置１等の構成等と同一あるいは相当部分を示すものである。また、上記図１２及び図１３の第４実施形態に係るテープカセット９１の構成等と同一符号は、該第４実施形態に係るテープカセット９１の構成等と同一あるいは相当部分を示すものである。【０１１６】
第５実施形態に係るテープカセット１０１の概略構成は、前記第４実施形態に係るテープカセット９１とほぼ同じ構成である。
但し、図１４に示すように、剥離コロ６５の外周面が、テープ送りローラ６３とテープサブローラ１１との共通接線１０２よりもテープサブローラ１１側に突出するように、テープ厚さ方向に移動されて配置されている。また、案内壁３３は、剥離コロ６５に対向する面のテープ搬送方向下流側、つまり、出口側の端縁部が、当該剥離コロ６５の外周面とテープ送りローラ６３の外周面との共通接線上にほぼ位置するように形成されている。【０１１７】
従って、第５実施形態に係るテープカセット１０１では、両面粘着スプール５６から引き出された両面粘着テープ５３は、一対の上流側ガイド部９５Ａ、９５Ｂの間を幅方向への移動を規制されつつ通過後、両端部を回転可能に支持される予備剥離ピン９２によってセパレータ５３Ｄが両面粘着テープ５３から剥離される。その後、セパレータ５３Ｄと、セパレータ５３Ｄが剥離された両面粘着テープ５３とは、各段差部９８、９８と各下流側コロ９６Ａ、９６Ｂとの間を通過することによって、該セパレータ５３Ｄは、再度、両面粘着テープ５３の粘着層５３Ｃに貼り合わされて、テープ送りローラ６３の外周面に沿って引き出される。【０１１８】
また、予備剥離ピン９２によって両面粘着テープ５３からセパレータ５３Ｄが一度剥離された印刷済みテープ２８は、剥離コロ６５の外周面とテープ送りローラ６３の外周面との共通接線上を経由して、剥離コロ６５の外周面に至る。そして、印刷済みテープ２８は、該剥離コロ６５の外周面に沿ってセパレータ５３Ｄが剥離された後、案内壁３３の出口側の端縁部に接触しつつ外部へ排出される。つまり、両面粘着テープ５３からセパレータ５３Ｄが剥離された印刷済みテープ２８は、テープ排出口２７から両面粘着テープ５３が貼着されていない面の方向に傾斜して外部へ排出される。【０１１９】
これにより、第５実施形態に係るテープカセット１０１では、前記第４実施形態に係るテープカセット９１が奏する上記作用効果に加えて、両面粘着テープ５３からセパレータ５３Ｄが剥離コロ６５の外周面に沿って剥離される際に、その粘着力によって印刷済みテープ２８がセパレータ５３Ｄ側に引っ張られても、印刷済みテープ２８をテープ送りローラ６３とテープサブローラ１１との共通接線よりも該テープサブローラ１１側で走行させることが可能となる。これにより、印刷済みテープ２８を確実に固定刃３０Ａと可動刃３０Ｂとの間に進入させることが可能となる。【０１２０】
［第６実施形態］
次に、第６実施形態に係るテープカセット１１１について図１５乃至図１９に基づいて説明する。尚、以下の説明において上記図１乃至図８の第１実施形態に係るテープカセット２１及びテープ印刷装置１の構成等と同一符号は、該第１実施形態に係るテープカセット２１及びテープ印刷装置１等の構成等と同一あるいは相当部分を示すものである。【０１２１】
第６実施形態に係るテープカセット１１１の概略構成は、第１実施形態に係るテープカセット２１とほぼ同じ構成である。
但し、図１５乃至図１８に示すように、印刷済みテープ２８が排出されるテープ排出口１１２は、正面視スリット状でテープ搬送方向に所定幅（例えば、幅約３ｍｍである。）に形成されている。また、このテープ排出口１１２の両面粘着テープ５３のセパレータ５３Ｄに接触する一方の案内壁１１２Ａに連続する側壁部２４Ｂ、つまり、テープ送りローラ６３に対向する側壁部２４Ｂには、この案内壁１１２Ａの出口側端縁部で両面粘着テープ５３から剥離されたセパレータ５３Ｄが進入可能なセパレータ入口１１３が貫通して形成されている。【０１２２】
また、テープ排出口１１２は、案内壁１１２Ａに対して印刷済みテープ２８を挟んで該印刷済みテープ２８のフィルムテープ５１の外側面に接触して該印刷済みテープ２８をテープ搬送方向下流側へ案内する案内壁１１２Ｂが所定距離（例えば、距離約１ｍｍである。）離間して設けられている。そして、各案内壁１１２Ａ、１１２Ｂの出口側端縁部は、側壁部２４Ｂよりもテープ搬送方向下流側に突出して、固定刃３０Ａに対向すると共に該固定刃３０Ａに近接するように設けられている。【０１２３】
また、テープ排出口１１２を構成する案内壁１１２Ａのテープ搬送方向下流側、つまり、出口側端縁部は、先端部が平面視鋭角状に（例えば、先端角度が約３０度〜約５０度である。）セパレータ入口１１３方向へ傾斜する傾斜面１１２Ｃを構成するように形成されている。この傾斜面１１２Ｃは、該案内壁１１２Ａの出口側端縁部とテープ送りローラ６３との共通接線よりも印刷済みテープ２８側に傾斜するように形成されて、剥離されたセパレータ５３Ｄと接触しないように構成されている。【０１２４】
また、セパレータ入口１１３の印刷済みテープ２８側の内側側面は、傾斜面１１２Ｃのテープ送りローラ６３側の端縁部に連続すると共に、該セパレータ入口１１３のセパレータ５３Ｄを挟んで対向する両内側面は、案内壁１１２Ａの出口側端縁部とテープ送りローラ６３との共通接線を挟んで該共通接線に対してほぼ平行になるよう所定距離（例えば、距離約２ｍｍである。）離間して形成されている。【０１２５】
そして、図１５乃至図１８に示すように、両面粘着スプール５６から引き出された両面粘着テープ５３は、テープ駆動ローラ軸１４によって回転駆動されるテープ送りローラ６３とテープサブローラ１１との間を通過し、セパレータ５３Ｄが重ね合わされない側の粘着層５３Ａがフィルムテープ５１の印刷面に圧着される。【０１２６】
その後、セパレータ５３Ｄは、テープ排出口１１２の案内壁１１２Ａの出口側先端縁部に沿ってフィルムテープ５１に圧着された両面粘着テープ５３から剥離されて、セパレータ入口１１３内に進入して、テープ送りローラ６３の外周面に沿って両面粘着スプール５６側に、つまり、引き出し側方向（図１５中、上側方向である。）へ案内される。続いて、セパレータ５３Ｄは、セパレータ案内壁３７の壁面に沿って案内リブ３５の外側方向に案内されて、凸状部３５Ａ、ガイドピン３６及び凸状部３５Ｂの外周面に順次沿って、巻回された両面粘着テープ５３の外側周縁を通って略直角内側方向へ案内されてセパレータ巻き取りスプール６２に至る。【０１２７】
そして、セパレータ５３Ｄの先端部は、このセパレータ巻き取りスプール６２の外周面に接着テープ等によって固着され、セパレータ巻取軸１６により回転駆動される該セパレータ巻き取りスプール６２に巻き取られる。尚、セパレータ巻取軸１６は、テープ駆動ローラ軸１４及びリボン巻取軸１５と同期して回転駆動される。【０１２８】
また、フィルムテープ５１は、テープ排出口１１２の出口側端縁部でセパレータ５３Ｄが剥離されて、印刷面に粘着層５３Ａ、ベースフィルム５３Ｂ及び粘着層５３Ｃが積層された状態で、つまり、セパレータ５３Ｄが剥離された粘着剤付き印刷済みテープ２８の状態で、テープ排出口２７からテープカセット２１の外部に送り出される。そして、セパレータ５３Ｄが剥離された粘着剤付き印刷済みテープ２８は、カッタユニット３０を経てテープ印刷装置１のラベル排出口１７より外部に送り出される。【０１２９】
そして、印刷済みテープ２８を所定長さ搬送後、不図示の切断用モータを駆動して可動刃３０Ｂを作動させることによって、セパレータ５３Ｄが剥離された所定長さの粘着剤付き印刷済みテープ２８がラベル排出口１７より排出される。【０１３０】
続いて、テープカセット１１１におけるテープスプール５４、両面粘着スプール５６、セパレータ巻き取りスプール６２の位置関係について図１９に基づいて説明する。【０１３１】
上述したように、テープカセット１１１において、テープスプール５４に巻回されているフィルムテープ５１は、テープ印刷装置１による印刷が行われる度に引き出される。従って、テープカセット１１１の使用開始時において、最も多くのフィルムテープ５１がテープスプール５４に巻回されている（図１５参照）。
ここで、テープカセット１１１の使用開始時点において、テープスプール５４に巻回されているフィルムテープ５１が占有する領域を「フィルムテープ占有領域１１５」という。また、このフィルムテープ占有領域１１５の半径を「フィルムテープ巻回半径Ｒ４」という。【０１３２】
また、フィルムテープ５１と同様に、両面粘着テープ５３は、テープ印刷装置１による印刷が行われる度に、両面粘着スプール５６から引き出される。従って、テープカセット１１１の使用開始時において、最も多くの両面粘着テープ５３が両面粘着スプール５６に巻回されている（図１５参照）。
ここで、テープカセット１１１の使用開始時点において、両面粘着スプール５６に巻回されている両面粘着テープ５３が占有する領域を「両面粘着テープ占有領域１１６」という。また、この両面粘着テープ占有領域１１６の半径を「両面粘着テープ巻回半径Ｒ５」という。【０１３３】
そして、テープカセット１１１においては、セパレータ５３Ｄはテープ印刷装置１による印刷が行われる毎に、両面粘着テープ５３から剥離され、セパレータ巻き取りスプール６２に巻回される。従って、テープカセット１１１の使用完了時（即ち、テープカセット１１１がラベルの作成にフィルムテープ５１等を使い切った時）に、セパレータ５３Ｄは、セパレータ巻き取りスプール６２に対して最も多く巻回され、テープカセット１１１の内部において最も大きなスペースを占有する。尚、以下の説明において、セパレータ巻き取りスプール６２に最も多く巻回されたセパレータ５３Ｄが占有するスペースの半径を「セパレータ巻回半径Ｒ６」という。【０１３４】
上述したように、セパレータ巻き取りスプール６２は、テープスプール５４と両面粘着スプール５６との間に、回転可能に配設されている。そして、図１９に示すように、テープカセット１１１では、テープスプール５４の回転中心軸と、セパレータ巻き取りスプール６２の回転中心軸を結ぶ直線距離（以下、第３軸間距離Ｌ３という。）は、セパレータ巻回半径Ｒ６とフィルムテープ巻回半径Ｒ４との和よりも小さくなるように構成されている。従って、テープカセット１１１の使用終了時において、セパレータ巻き取りスプール６２に巻回されたセパレータ５３Ｄは、フィルムテープ占有領域１１５の一部分を占有する。【０１３５】
即ち、第３軸間距離Ｌ３を、セパレータ巻回半径Ｒ６とフィルムテープ巻回半径Ｒ４との和よりも小さくすることにより、テープカセット１１１は、フィルムテープ５１とセパレータ５３Ｄが共通して利用する第３重複領域１１７を生じさせる。これにより、テープカセット１１１は、第３重複領域１１７の大きさに応じて、テープカセット１１１自体の大型化を抑制し得る。また、テープカセット１１１の大型化を抑制することにより、当該テープカセット１１１は、テープ印刷装置１本体の大型化も抑制し得る。【０１３６】
また、テープカセット１１１では、両面粘着スプール５６の回転中心軸と、セパレータ巻き取りスプール６２の回転中心軸を結ぶ直線距離（以下、第４軸間距離Ｌ４という。）は、セパレータ巻回半径Ｒ６と両面粘着テープ巻回半径Ｒ５との和よりも小さくなるように構成されている。従って、テープカセット１１１の使用終了時において、セパレータ巻き取りスプール６２に巻回されたセパレータ５３Ｄは、両面粘着テープ占有領域１１６の一部分を占有する。【０１３７】
即ち、第４軸間距離Ｌ４を、セパレータ巻回半径Ｒ６と両面粘着テープ巻回半径Ｒ５との和よりも小さくすることにより、テープカセット１１１は、両面粘着テープ５３とセパレータ５３Ｄとが共通して利用する第４重複領域１１８を生じさせる。これにより、テープカセット１１１は、第４重複領域１１８の大きさに応じて、テープカセット１１１自体の大型化を抑制し得る。また、テープカセット１１１の大型化を抑制することにより、当該テープカセット１１１は、テープ印刷装置１本体の大型化も抑制し得る。【０１３８】
従って、テープカセット１１１は、図１９に示すように、第３重複領域１１７と第４重複領域１１８との何れをも生じさせるので、第３重複領域１１７の大きさと、第４重複領域１１８の大きさに応じて、テープカセット１１１の大型化を更に抑制し得る。そして、これに伴い、テープカセット１１１は、テープ印刷装置１の大型化についても更に抑制し得る。【０１３９】
尚、テープスプール５４と両面粘着スプール５６との距離を図１９に示す状態よりも大きくして、セパレータ巻き取りスプール６２をテープカセット１１１の内側方向へ移動させてもよい。そして、第３軸間距離Ｌ３をセパレータ巻回半径Ｒ６とフィルムテープ巻回半径Ｒ４との和よりも大きくなるように構成し、且つ、第４軸間距離Ｌ４をセパレータ巻回半径Ｒ６と両面粘着テープ巻回半径Ｒ５との和よりも小さくなるように構成してもよい。又は、第３軸間距離Ｌ３をセパレータ巻回半径Ｒ６とフィルムテープ巻回半径Ｒ４との和よりも小さくなるように構成し、且つ、第４軸間距離Ｌ４をセパレータ巻回半径Ｒ６と両面粘着テープ巻回半径Ｒ５との和よりも大きくなるように構成してもよい。【０１４０】
これにより、テープカセット１１１は、第３重複領域１１７と第４重複領域１１８のうちの何れか一方を生じさせるので、第３重複領域１１７の大きさと、第４重複領域１１８の大きさに応じて、テープカセット１１１の大型化を抑制し得る。そして、これに伴い、テープカセット１１１は、テープ印刷装置１の大型化についても更に抑制し得る。【０１４１】
従って、第６実施形態に係るテープカセット１１１では、両面粘着テープ５３は、テープ送りローラ６３とテープサブローラ１１とによって、フィルムテープ５１の印刷された一方の面に圧着された後、テープ排出口１１２の出口側端縁部で該両面粘着テープ５３からセパレータ５３Ｄが剥離された状態で搬送されることとなる。これにより、所定長さに切断された印刷済みテープ２８を商品等に貼り付ける際に、セパレータ５３Ｄを剥がす手間を省くことができる。【０１４２】
また、テープ排出口１１２で両面粘着テープ５３から該テープ排出口１１２の案内壁１１２Ａの出口側端縁部に沿って剥離されたセパレータ５３Ｄは、セパレータ入口１１３からテープカセット１１１内に進入して、テープ送りローラ６３とセパレータ案内壁３７との間、つまり、両面粘着スプール５６側へ案内された後、凸状部３５Ａ、ガイドピン３６及び凸状部３５Ｂによって巻回された両面粘着テープ５３の外側周縁を通って略直角内側方向へ案内されて、セパレータ巻き取りスプール６２に巻き取られる。このため、テープ排出口１１２で両面粘着テープ５３から剥離したセパレータ５３Ｄをテープカセット１１１内にスムーズに収納することが可能となると共に、ユーザは両面粘着テープ５３から剥離したセパレータ５３Ｄを廃棄する手間を省くことができる。【０１４３】
また、セパレータ５３Ｄは、テープ排出口１１２の案内壁１１２Ａの出口側先端縁部に沿ってフィルムテープ５１に圧着された両面粘着テープ５３から剥離されて、セパレータ入口１１３内に進入して、テープ送りローラ６３の外周面に沿って両面粘着スプール５６側へ案内されるため、セパレータ５３Ｄが印刷済みテープ２８側に撓んで両面粘着テープ５３の粘着層５３Ｃに再度付着することを確実に防止でき、当該印刷済みテープ２８をテープ排出口１１２から外部へスムーズに排出することが可能となる。【０１４４】
また、テープ排出口１１２の各案内壁１１２Ａ、１１２Ｂの出口側端縁部は、側壁部２４Ｂよりもテープ搬送方向下流側に突出して、固定刃３０Ａに対向すると共に該固定刃３０Ａに近接するように設けられているため、テープ切断位置と印刷済みテープ２８の印刷位置との距離を短くすることが可能となり、印刷済みテープ２８の余白長さを短くすることが可能となる。【０１４５】
また、テープ排出口１１２の各案内壁１１２Ａ、１１２Ｂの出口側端縁部が固定刃３０Ａに近接して配設されるため、印刷済みテープ２８の印刷面の裏面側をテープ切断位置、つまり、固定刃３０Ａの刃先の近傍まで確実に案内することが可能となる。【０１４６】
更に、セパレータ巻き取りスプール６２は、両面粘着スプール５６とテープスプール５４との間に配設されているため、テープ印刷装置１によるテープ印刷が行われることによってセパレータ巻き取りスプール６２に巻回可能なセパレータ５３Ｄの最大巻回長さを容易に大きくすることができ、テープカセット１１１の小型化を図ることが可能となる。【０１４７】
また、セパレータ入口１１３からテープカセット１１１内に進入したセパレータ５３Ｄを該テープ送りローラ６３の外周面に沿って、該テープ送りローラ６３とセパレータ案内壁３７との間、つまり、両面粘着スプール５６側へ案内後、セパレータ案内壁３７、凸状部３５Ａ、ガイドピン３６及び凸状部３５Ｂによって巻回された両面粘着テープ５３の外側周縁を通ってセパレータ巻き取りスプール６２まで案内することによって、テープカセット１１１内の隙間空間を有効に活用することができ、テープカセット１１１の更なる小型化を図ることが可能となる。【０１４８】
［第７実施形態］
次に、第７実施形態に係るテープカセット１２１について図２０及び図２１に基づいて説明する。尚、以下の説明において上記図１乃至図８の第１実施形態に係るテープカセット２１及びテープ印刷装置１の構成等と同一符号は、該第１実施形態に係るテープカセット２１及びテープ印刷装置１等の構成等と同一あるいは相当部分を示すものである。また、上記図１５乃至図１９の第６実施形態に係るテープカセット１１１の構成等と同一符号は、該第６実施形態に係るテープカセット１１１の構成等と同一あるいは相当部分を示すものである。【０１４９】
第７実施形態に係るテープカセット１２１の概略構成は、第６実施形態に係るテープカセット１１１とほぼ同じ構成である。
但し、図２０及び図２１に示すように、テープ送りローラ６３とテープ排出口１１２の入口側端縁部との間の、フィルムテープ５１の印刷面に両面粘着テープ５３が圧着された印刷済みテープ２８の経路上において、当該両面粘着テープ５３のセパレータ５３Ｄと粘着層５３Ｃとの間に挿入されるように、予備剥離部材の一例としての予備剥離ピン１２２が設けられている。【０１５０】
つまり、予備剥離ピン１２２によって両面粘着テープ５３からセパレータ５３Ｄが一度剥離されている。そして、予備剥離ピン１２２によって両面粘着テープ５３から一度剥離されたセパレータ５３Ｄは、該予備剥離ピン１２２を通過後、再度、両面粘着テープ５３の粘着層５３Ｃに貼り合わされて、テープ排出口１１２内に搬送された後、このテープ排出口１１２の案内壁１１２Ａの出口側端縁部で剥離されている。【０１５１】
この予備剥離ピン１２２は、両面粘着テープ５３のテープ幅よりも長い断面円形の略円柱形状で、両端面中心位置に各支持軸１２２Ａが立設されている。また、この予備剥離ピン１２２の外周面には、シリコーン樹脂皮膜が形成されている。また、テープカセット１２１の上ケース２３及び下ケース２４には、予備剥離ピン１２２の各支持軸１２２Ａを回転可能に支持する各支持孔１２３が形成されている。そして、予備剥離ピン１２２の各支持軸１２２Ａは、各支持孔１２３に挿入されて、回転可能に設けられている。【０１５２】
従って、第７実施形態に係るテープカセット１２１では、予備剥離ピン１２２は、両端部が回転可能に支持されると共に、両面粘着テープ５３の粘着層５３Ｃ及びセパレータ５３Ｄの全幅に渡って接触する。【０１５３】
これにより、第７実施形態に係るテープカセット１２１では、第６実施形態に係るテープカセット１１１が奏する上記作用効果に加えて、予備剥離ピン１２２によってセパレータ５３Ｄが両面粘着テープ５３から一度剥離された後、再度両面粘着テープ５３の粘着層５３Ｃに貼り合わされてテープ排出口１１２の出口側へ搬送されるため、該両面粘着テープ５３のセパレータ５３Ｄに対する粘着力を低下させた状態で印刷済みテープ２８を案内壁１１２Ａの出口側端縁部へ搬送することが可能となる。【０１５４】
このため、フィルムテープ５１に圧着された両面粘着テープ５３からセパレータ５３Ｄをテープ排出口１１２の案内壁１１２Ａの出口側端縁部に沿って容易に剥離することが可能となり、剥離したセパレータ５３Ｄをセパレータ入口１１３へスムーズに進入させることができると共に、セパレータ５３Ｄが剥離された粘着剤付き印刷済みテープ２８をテープ排出口１１２の出口側端部からスムーズに排出することが可能となる。【０１５５】
［第８実施形態］
次に、第８実施形態に係るテープカセット１３１について図２２に基づいて説明する。尚、以下の説明において上記図１５乃至図１９の第６実施形態に係るテープカセット１１１の構成等と同一符号は、該第６実施形態に係るテープカセット１１１の構成等と同一あるいは相当部分を示すものである。また、上記図２０及び図２１の第７実施形態に係るテープカセット１２１の構成等と同一符号は、該第７実施形態に係るテープカセット１２１の構成等と同一あるいは相当部分を示すものである。【０１５６】
第８実施形態に係るテープカセット１３１の概略構成は、第７実施形態に係るテープカセット１２１とほぼ同じ構成である。
但し、図２２に示すように、テープ排出口１１２の出口側が、テープ送りローラ６３とテープサブローラ１１との共通接線１３２に対してテープサブローラ１１側に遠ざかるように、各案内壁１１２Ａ、１１２Ｂの印刷済みテープ２８に対向する案内面が、斜め外側方向へ傾斜するように形成されている。【０１５７】
従って、第８実施形態に係るテープカセット１３１では、予備剥離ピン１２２によって両面粘着テープ５３から一度剥離されたセパレータ５３Ｄは、該予備剥離ピン１２２を通過後、再度、両面粘着テープ５３の粘着層５３Ｃに貼り合わされて、案内壁１１２Ａの出口側端縁部に沿って剥離されている。また、予備剥離ピン１２２によって両面粘着テープ５３からセパレータ５３Ｄが剥離された印刷済みテープ２８は、予備剥離ピン１２２の外周面とテープ送りローラ６３の外周面との共通接線上を経由して、テープ排出口１１２の入口側端縁部に至る。【０１５８】
そして、印刷済みテープ２８は、該案内壁１１２Ａの出口側端縁部に沿ってセパレータ５３Ｄが剥離された後、テープ排出口１１２から外部へ排出される。つまり、両面粘着テープ５３からセパレータ５３Ｄが剥離された印刷済みテープ２８は、テープ排出口１１２から両面粘着テープ５３が貼着されていない面の方向に傾斜して外部へ排出される。【０１５９】
これにより、第８実施形態に係るテープカセット１３１では、前記第７実施形態に係るテープカセット１２１が奏する上記作用効果に加えて、テープ排出口１１２の出口側端縁部で、両面粘着テープ５３からセパレータ５３Ｄが案内壁１１２Ａの出口側端縁部に沿って剥離される際に、その粘着力によって印刷済みテープ２８がセパレータ５３Ｄ側に引っ張られても、印刷済みテープ２８をテープ送りローラ６３とテープサブローラ１１との共通接線１３２よりも該テープサブローラ１１側で走行させることが可能となる。これにより、印刷済みテープ２８を確実に固定刃３０Ａと可動刃３０Ｂとの間に進入させることが可能となる。【０１６０】
尚、テープカセット１３１の予備剥離ピン１２２を取り除くようにしてもよい。これにより、前記第６実施形態に係るテープカセット１１１が奏する上記作用効果に加えて、テープ排出口１１２の出口側端縁部で、両面粘着テープ５３からセパレータ５３Ｄが案内壁１１２Ａの出口側端縁部に沿って剥離される際に、その粘着力によって印刷済みテープ２８がセパレータ５３Ｄ側に引っ張られても、印刷済みテープ２８をテープ送りローラ６３とテープサブローラ１１との共通接線１３２よりも該テープサブローラ１１側で走行させることが可能となる。これにより、印刷済みテープ２８を確実に固定刃３０Ａと可動刃３０Ｂとの間に進入させることが可能となる。【０１６１】
［第９実施形態］
次に、第９実施形態に係るテープカセット１４１について図２３及び図２４に基づいて説明する。尚、以下の説明において上記図１乃至図８の第１実施形態に係るテープカセット２１及びテープ印刷装置１の構成等と同一符号は、該第１実施形態に係るテープカセット２１及びテープ印刷装置１等の構成等と同一あるいは相当部分を示すものである。また、上記図１５乃至図１９の第６実施形態に係るテープカセット１１１の構成等と同一符号は、該第６実施形態に係るテープカセット１１１の構成等と同一あるいは相当部分を示すものである。【０１６２】
第９実施形態に係るテープカセット１４１の概略構成は、第６実施形態に係るテープカセット１１１とほぼ同じ構成である。
但し、図２３及び図２４に示すように、両面粘着スプール５６とテープ送りローラ６３との間、つまり、両面粘着テープ５３の引出口とテープ送りローラ６３との間の該両面粘着テープ５３の経路上において、両面粘着テープ５３のセパレータ５３Ｄと粘着層５３Ｃとの間に挿入されるように、予備剥離部材の一例としての予備剥離ピン１４２が設けられている。【０１６３】
また、予備剥離ピン１４２の両面粘着テープ５３の搬送方向上流側には、テープカセット１４１の上ケース２３と下ケース２４のそれぞれから、該両面粘着テープ５３の幅寸法にほぼ等しい距離で相対向するように突出した平面視略横長四角形の一対の上流側ガイド部１４５Ａ、１４５Ｂが設けられている。これにより、一対の上流側ガイド部１４５Ａ、１４５Ｂによって、両面粘着テープ５３の幅方向への移動を規制しつつ、この両面粘着テープ５３を予備剥離ピン１４２へ摺動案内することが可能となる。
尚、この一対の上流側ガイド部１４５Ａ、１４５Ｂは、設けなくてもよい。【０１６４】
また、予備剥離ピン１４２の両面粘着テープ５３の搬送方向下流側には、一対の下流側コロ１４６Ａ、１４６Ｂが、両面粘着テープ５３を挟んで、該両面粘着テープ５３の厚さにほぼ等しい距離で対向するように設けられている。そして、予備剥離ピン１４２によって両面粘着テープ５３から一度剥離されたセパレータ５３Ｄと、該セパレータ５３Ｄが剥離された両面粘着テープ５３とが、一対の下流側コロ１４６Ａ、１４６Ｂ間を通って引き出されている。【０１６５】
つまり、両面粘着スプール５６から引き出された両面粘着テープ５３は、一対の上流側ガイド部１４５Ａ、１４５Ｂの間を幅方向への移動を規制されつつ通過して、予備剥離ピン１４２に案内された後、この予備剥離ピン１４２によって両面粘着テープ５３からセパレータ５３Ｄが一度剥離される。そして、予備剥離ピン１４２によって両面粘着テープ５３から一度剥離されたセパレータ５３Ｄと、該セパレータ５３Ｄが剥離された両面粘着テープ５３とは、該予備剥離ピン１４２を通過後、一対の下流側コロ１４６Ａ、１４６Ｂの間を通過する。更に、この一対の下流側コロ１４６Ａ、１４６Ｂの間を通過したセパレータ５３Ｄは、再度、両面粘着テープ５３の粘着層５３Ｃに貼り合わされて、テープ送りローラ６３の外周面に沿って引き出されている。【０１６６】
また、予備剥離ピン１４２は、両面粘着テープ５３のテープ幅よりも長い断面円形の略円柱形状で、両端面中心位置に各支持軸１４２Ａが立設されている。また、この予備剥離ピン１４２の外周面には、シリコーン樹脂皮膜が形成されている。また、テープカセット１４１の上ケース２３及び下ケース２４には、予備剥離ピン１４２の各支持軸１４２Ａを回転可能に支持する各支持孔１４３が形成されている。【０１６７】
従って、この予備剥離ピン１４２は、各支持軸１４２Ａが各支持孔１４３に挿入されて、回転可能に設けられるため、該予備剥離ピン１４２は、両端部が回転可能に支持されると共に、両面粘着テープ５３の粘着層５３Ｃ及びセパレータ５３Ｄの全幅に渡って接触する。【０１６８】
また、一対の下流側コロ１４６Ａ、１４６Ｂは、両面粘着テープ５３のテープ幅とほぼ等しい長さの断面円形の略円柱形状で、それぞれの両端面中心位置に各支持軸１４７が立設されている。また、各下流側コロ１４６Ａ、１４６Ｂの外周面には、シリコーン樹脂皮膜が形成されている。また、テープカセット１４１の上ケース２３及び下ケース２４には、両面粘着テープ５３の両側縁部に接触して幅方向の移動を規制すると共に両面粘着テープ５３を搬送方向へ摺動案内可能に突出する平面視略横長四角形の各段差部１４８、１４８が設けられている。【０１６９】
また、各段差部１４８、１４８には、各下流側コロ１４６Ａ、１４６Ｂの各支持軸１４７を回転可能に支持する一対の支持孔１４９が形成されている。そして、各下流側コロ１４６Ａ、１４６Ｂの各支持軸１４７は、各支持孔１４９に挿入されて、回転可能に支持されると共に、両面粘着テープ５３の厚さにほぼ等しい距離で対向するように設けられている。尚、各下流側コロ１４６Ａ、１４６Ｂのうちの少なくとも両面粘着テープ５３の粘着層５３Ａに接触する下流側コロ１４６Ｂの外周面だけに、シリコーン樹脂皮膜を形成するようにしてもよい。【０１７０】
従って、第９実施形態に係るテープカセット１４１では、両面粘着スプール５６から引き出された両面粘着テープ５３は、一対の上流側ガイド部１４５Ａ、１４５Ｂの間を幅方向への移動を規制されつつ通過後、両端部を回転可能に支持される予備剥離ピン１４２によってセパレータ５３Ｄが両面粘着テープ５３から剥離される。その後、セパレータ５３Ｄと、セパレータ５３Ｄが剥離された両面粘着テープ５３とは、各段差部１４８、１４８と各下流側コロ１４６Ａ、１４６Ｂとの間を通過することによって、該セパレータ５３Ｄは、再度、両面粘着テープ５３の粘着層５３Ｃに貼り合わされて、テープ送りローラ６３の外周面に沿って引き出される。【０１７１】
これにより、第９実施形態に係るテープカセット１４１では、第６実施形態に係るテープカセット１１１が奏する上記作用効果に加えて、予備剥離ピン１４２によってセパレータ５３Ｄが両面粘着テープ５３から一度剥離された後、再度両面粘着テープ５３の粘着層５３Ｃに貼り合わされてテープ送りローラ６３へ搬送されるため、該両面粘着テープ５３のセパレータ５３Ｄに対する粘着力を低下させた状態でフィルムテープ５１の印刷面に圧着させることが可能となる。【０１７２】
このため、フィルムテープ５１に圧着された両面粘着テープ５３からセパレータ５３Ｄをテープ排出口１１２の案内壁１１２Ａの出口側端縁部に沿って容易に剥離することが可能となり、剥離したセパレータ５３Ｄをセパレータ入口１１３へスムーズに進入させることができると共に、セパレータ５３Ｄが剥離された粘着剤付き印刷済みテープ２８をテープ排出口１１２の出口側端部からスムーズに排出することが可能となる。【０１７３】
［第１０実施形態］
次に、第１０実施形態に係るテープカセット１５１について図２５に基づいて説明する。尚、以下の説明において上記図１５乃至図１９の第６実施形態に係るテープカセット１１１の構成等と同一符号は、該第６実施形態に係るテープカセット１１１の構成等と同一あるいは相当部分を示すものである。また、上記図２３及び図２４の第９実施形態に係るテープカセット１４１の構成等と同一符号は、該第９実施形態に係るテープカセット１４１の構成等と同一あるいは相当部分を示すものである。【０１７４】
第１０実施形態に係るテープカセット１５１の概略構成は、第９実施形態に係るテープカセット１４１とほぼ同じ構成である。
但し、図２５に示すように、テープ排出口１１２の出口側が、テープ送りローラ６３とテープサブローラ１１との共通接線１５２に対してテープサブローラ１１側に遠ざかるように、各案内壁１１２Ａ、１１２Ｂの印刷済みテープ２８に対向する案内面が、共通接線１５２に対して斜め外側方向へ傾斜するように形成されている。【０１７５】
従って、第１０実施形態に係るテープカセット１５１では、両面粘着スプール５６から引き出された両面粘着テープ５３は、一対の上流側ガイド部１４５Ａ、１４５Ｂの間を幅方向への移動を規制されつつ通過後、両端部を回転可能に支持される予備剥離ピン１４２によってセパレータ５３Ｄが両面粘着テープ５３から剥離される。その後、セパレータ５３Ｄと、セパレータ５３Ｄが剥離された両面粘着テープ５３とは、各段差部１４８、１４８と各下流側コロ１４６Ａ、１４６Ｂとの間を通過することによって、該セパレータ５３Ｄは、再度、両面粘着テープ５３の粘着層５３Ｃに貼り合わされて、テープ送りローラ６３の外周面に沿って引き出される。【０１７６】
そして、フィルムテープ５１に両面粘着テープ５３が圧着された印刷済みテープ２８は、テープ排出口１１２の入口側端縁部に至る。そして、印刷済みテープ２８は、該テープ排出口１１２の案内壁１１２Ａの出口側端縁部に沿ってセパレータ５３Ｄが剥離された後、テープ排出口１１２から外部へ排出される。つまり、両面粘着テープ５３からセパレータ５３Ｄが剥離された印刷済みテープ２８は、テープ排出口１１２から両面粘着テープ５３が貼着されていない面の方向に傾斜して外部へ排出される。【０１７７】
これにより、第１０実施形態に係るテープカセット１５１では、前記第９実施形態に係るテープカセット１４１が奏する上記作用効果に加えて、テープ排出口１１２の出口側端縁部で、両面粘着テープ５３からセパレータ５３Ｄが案内壁１１２Ａの出口側端縁部に沿って剥離される際に、その粘着力によって印刷済みテープ２８がセパレータ５３Ｄ側に引っ張られても、印刷済みテープ２８をテープ送りローラ６３とテープサブローラ１１との共通接線１５２よりも該テープサブローラ１１側で走行させることが可能となる。これにより、印刷済みテープ２８を確実に固定刃３０Ａと可動刃３０Ｂとの間に進入させることが可能となる。【０１７８】
［第１１実施形態］
次に、第１１実施形態に係るテープカセット１６１について図２６乃至図３２に基づいて説明する。尚、以下の説明において上記図１乃至図８の第１実施形態に係るテープカセット２１及びテープ印刷装置１の構成等と同一符号は、該第１実施形態に係るテープカセット２１及びテープ印刷装置１等の構成等と同一あるいは相当部分を示すものである。【０１７９】
第１１実施形態に係るテープカセット１６１の概略構成は、第１実施形態に係るテープカセット２１とほぼ同じ構成である。
但し、図２６乃至図２８に示すように、テープカセット１６１は、テープ送りローラ６３のテープ搬送方向下流側、つまり、テープ排出口１６３側に、剥離コロ６５に替えて接触コロ１６２が回転可能に設けられている。また、テープ送りローラ６３に対向する側壁部２４Ｂの該接触コロ１６２に対向する端縁部は、この接触コロ１６２の外周面から所定距離（例えば、距離約１ｍｍである。）離間している。【０１８０】
また、後述のように、セパレータ５３Ｄは、フィルムテープ５１に圧着された両面粘着テープ５３から剥離され、テープ送りローラ６３の外周面に沿って両面粘着スプール５６側に、つまり、引き出し側方向（図２６中、上側方向である。）へ案内される（図３１参照）。
図２７及び図２８に示すように、先ず、接触コロ１６２の外周面は、該外周面に軸方向断面Ｖ字形の溝部１６２Ａが軸方向に連続して形成されると共に、両端面外周部が軸方向内側に斜めに面取りされて、軸方向に平行な複数の断面略三角形の凸状形状に形成されている。【０１８１】
また、接触コロ１６２は、両端面中心位置に支持孔４８に回転可能に嵌入される各支持軸１６２Ｂが立設されると共に、外周面にシリコーン樹脂皮膜が形成されている。そして、この接触コロ１６２は、セパレータ５３Ｄが剥離された印刷済みテープ２８の粘着層５３Ｃ（図３１参照）に接触して、該印刷済みテープ２８をテープ排出口１６３からテープ搬送方向下流側へ案内する。【０１８２】
また、接触コロ１６２は、テープ送りローラ６３に対向する側壁部２４Ｂよりもテープ搬送方向外側に突出して、固定刃３０Ａに対向すると共に該固定刃３０Ａに近接するように設けられている。
また、接触コロ１６２に対して印刷済みテープ２８を挟んで対向する案内壁３３は、この接触コロ１６２よりもテープ搬送方向下流側へ延出されて、印刷済みテープ２８を固定刃３０Ａの近傍位置まで案内可能となるように設けられている。【０１８３】
また、図２７及び図２９に示すように、テープ送りローラ６３とテープサブローラ１１によってフィルムテープ５１に圧着された両面粘着テープ５３からセパレータ５３Ｄが剥離される剥離位置近傍のテープ搬送方向下流側、つまり、印刷済みテープ２８の粘着層５３Ｃとセパレータ５３Ｄとの間に、剥離部材の一例としての剥離ピン１６５が設けられ、印刷済みテープ２８とセパレータ５３Ｄを分離している。【０１８４】
この剥離ピン１６５は、印刷済みテープ２８のテープ幅よりも長い断面円形の略円柱形状で、両端面中心位置に各支持軸１６５Ａが立設されている。また、この剥離ピン１６５の外周面には、シリコーン樹脂皮膜が形成されている。また、テープカセット１６１の上ケース２３及び下ケース２４には、剥離ピン７２の各支持軸１６５Ａを回転可能に支持する各支持孔１６７が形成されている。【０１８５】
そして、剥離ピン１６５の各支持軸１６５Ａは、各支持孔１６７に挿入されて、回転可能に設けられている。従って、剥離ピン１６５は、両端部が回転可能に支持されると共に、印刷済みテープ２８の粘着層５３Ｃ及びセパレータ５３Ｄの全幅に渡って接触する。【０１８６】
また、図２７及び図３０に示すように、両面粘着スプール５６とテープ送りローラ６３との間、つまり、両面粘着テープ５３の引出口とテープ送りローラ６３との間の該両面粘着テープ５３の経路上において、両面粘着テープ５３のセパレータ５３Ｄと粘着層５３Ｃとの間に挿入されるように、予備剥離部材の一例としての予備剥離ピン１６６が設けられている。【０１８７】
また、予備剥離ピン１６６の両面粘着テープ５３の搬送方向上流側には、テープカセット１６１の上ケース２３と下ケース２４のそれぞれから、該両面粘着テープ５３の幅寸法にほぼ等しい距離で相対向するように突出した平面視略横長四角形の一対の上流側ガイド部１７１Ａ、１７１Ｂが設けられている。これにより、一対の上流側ガイド部１７１Ａ、１７１Ｂによって、両面粘着テープ５３の幅方向への移動を規制しつつ、この両面粘着テープ５３を予備剥離ピン１６６へ摺動案内することが可能となる。
尚、この一対の上流側ガイド部１７１Ａ、１７１Ｂは、設けなくてもよい。【０１８８】
また、予備剥離ピン１６６の両面粘着テープ５３の搬送方向下流側には、一対の下流側コロ１７２Ａ、１７２Ｂが、両面粘着テープ５３を挟んで、該両面粘着テープ５３の厚さにほぼ等しい距離で対向するように設けられている。そして、予備剥離ピン１６６によって両面粘着テープ５３から一度剥離されたセパレータ５３Ｄと、該セパレータ５３Ｄが剥離された両面粘着テープ５３とが、一対の下流側コロ１７２Ａ、１７２Ｂ間を通って引き出されている。【０１８９】
つまり、両面粘着スプール５６から引き出された両面粘着テープ５３は、一対の上流側ガイド部１７１Ａ、１７１Ｂの間を幅方向への移動を規制されつつ通過して、予備剥離ピン１６６に案内された後、この予備剥離ピン１６６によって両面粘着テープ５３からセパレータ５３Ｄが一度剥離される。そして、予備剥離ピン１６６によって両面粘着テープ５３から一度剥離されたセパレータ５３Ｄと、該セパレータ５３Ｄが剥離された両面粘着テープ５３とは、該予備剥離ピン１６６を通過後、一対の下流側コロ１７２Ａ、１７２Ｂの間を通過する。更に、この一対の下流側コロ１７２Ａ、１７２Ｂの間を通過したセパレータ５３Ｄは、再度、両面粘着テープ５３の粘着層５３Ｃに貼り合わされて、テープ送りローラ６３の外周面に沿って引き出されている。【０１９０】
また、予備剥離ピン１６６は、両面粘着テープ５３のテープ幅よりも長い断面円形の略円柱形状で、両端面中心位置に各支持軸１６６Ａが立設されている。また、この予備剥離ピン１６６の外周面には、シリコーン樹脂皮膜が形成されている。また、テープカセット１６１の上ケース２３及び下ケース２４には、予備剥離ピン１６６の各支持軸１６６Ａを回転可能に支持する各支持孔１６８が形成されている。【０１９１】
従って、この予備剥離ピン１６６は、各支持軸１６６Ａが各支持孔１６８に挿入されて、回転可能に設けられるため、該予備剥離ピン１６６は、両端部が回転可能に支持されると共に、両面粘着テープ５３の粘着層５３Ｃ及びセパレータ５３Ｄの全幅に渡って接触する。【０１９２】
また、一対の下流側コロ１７２Ａ、１７２Ｂは、両面粘着テープ５３のテープ幅とほぼ等しい長さの断面円形の略円柱形状で、それぞれの両端面中心位置に各支持軸１７３が立設されている。また、各下流側コロ１７２Ａ、１７２Ｂの外周面には、シリコーン樹脂皮膜が形成されている。また、テープカセット１６１の上ケース２３及び下ケース２４には、両面粘着テープ５３の両側縁部に接触して幅方向の移動を規制すると共に両面粘着テープ５３を搬送方向へ摺動案内可能に突出する平面視略横長四角形の各段差部１７４、１７４が設けられている。【０１９３】
また、各段差部１７４、１７４には、各下流側コロ１７２Ａ、１７２Ｂの各支持軸１７３を回転可能に支持する一対の支持孔１７５が形成されている。そして、各下流側コロ１７２Ａ、１７２Ｂの各支持軸１７３は、各支持孔１７５に挿入されて、回転可能に支持されると共に、両面粘着テープ５３の厚さにほぼ等しい距離で対向するように設けられている。尚、各下流側コロ１７２Ａ、１７２Ｂのうちの少なくとも両面粘着テープ５３の粘着層５３Ａに接触する下流側コロ１７２Ｂの外周面だけに、シリコーン樹脂皮膜を形成するようにしてもよい。【０１９４】
図２６乃至図３１に示すように、上記のように構成されたテープカセット１６１では、両面粘着スプール５６から引き出された両面粘着テープ５３は、一対の上流側ガイド部１７１Ａ、１７１Ｂの間を幅方向への移動を規制されつつ通過後、両端部を回転可能に支持される予備剥離ピン１６６によってセパレータ５３Ｄが両面粘着テープ５３から剥離される。その後、セパレータ５３Ｄと、セパレータ５３Ｄが剥離された両面粘着テープ５３とは、各段差部１７４、１７４と各下流側コロ１７２Ａ、１７２Ｂとの間を通過することによって、該セパレータ５３Ｄは、再度、両面粘着テープ５３の粘着層５３Ｃに貼り合わされて、テープ送りローラ６３の外周面に沿って引き出される。そして、両面粘着テープ５３は、テープ駆動ローラ軸１４によって回転駆動されるテープ送りローラ６３とテープサブローラ１１との間を通過し、セパレータ５３Ｄが重ね合わされない側の粘着層５３Ａがフィルムテープ５１の印刷面に圧着される。【０１９５】
その後、セパレータ５３Ｄは、フィルムテープ５１に圧着された両面粘着テープ５３から剥離され、テープ送りローラ６３の外周面に沿って両面粘着スプール５６側に、つまり、引き出し側方向（図２６中、上側方向である。）へ案内される。続いて、セパレータ５３Ｄは、セパレータ案内壁３７の壁面に沿って案内リブ３５の外側方向に案内されて、凸状部３５Ａ、ガイドピン３６及び凸状部３５Ｂの外周面に順次沿って、巻回された両面粘着テープ５３の外側周縁を通って略直角内側方向へ案内されてセパレータ巻き取りスプール６２に至る。【０１９６】
そして、セパレータ５３Ｄの先端部は、このセパレータ巻き取りスプール６２の外周面に接着テープ等によって固着され、セパレータ巻取軸１６により回転駆動される該セパレータ巻き取りスプール６２に巻き取られる。尚、セパレータ巻取軸１６は、テープ駆動ローラ軸１４及びリボン巻取軸１５と同期して回転駆動される。【０１９７】
また、フィルムテープ５１は、テープ駆動ローラ軸１４によって回転駆動されるテープ送りローラ６３とテープサブローラ１１との間を通過後、印刷面に粘着層５３Ａ、ベースフィルム５３Ｂ及び粘着層５３Ｃが積層された状態で接触コロ１６２に至る。そして、印刷面に粘着層５３Ａ、ベースフィルム５３Ｂ及び粘着層５３Ｃが積層されたフィルムテープ５１は、つまり、セパレータ５３Ｄが剥離された粘着剤付き印刷済みテープ２８は、粘着層５３Ｃに接触する接触コロ１６２と、該接触コロ１６２に対して印刷済みテープ２８を挟んで対向する案内壁３３とによって案内されて、テープ排出口１６３からテープカセット１６１の外部に送り出される。そして、セパレータ５３Ｄが剥離された粘着剤付き印刷済みテープ２８は、カッタユニット３０を経てテープ印刷装置１のラベル排出口１７より外部に送り出される。【０１９８】
そして、印刷済みテープ２８を所定長さ搬送後、不図示の切断用モータを駆動して可動刃３０Ｂを作動させることによって、セパレータ５３Ｄが剥離された所定長さの粘着剤付き印刷済みテープ２８がラベル排出口１７より排出される。【０１９９】
続いて、テープカセット１６１におけるテープスプール５４、両面粘着スプール５６、セパレータ巻き取りスプール６２の位置関係について図３２に基づいて説明する。【０２００】
上述したように、テープカセット１６１において、テープスプール５４に巻回されているフィルムテープ５１は、テープ印刷装置１による印刷が行われる度に引き出される。従って、テープカセット１６１の使用開始時において、最も多くのフィルムテープ５１がテープスプール５４に巻回されている（図２６参照）。
ここで、テープカセット１６１の使用開始時点において、テープスプール５４に巻回されているフィルムテープ５１が占有する領域を「フィルムテープ占有領域１７７」という。また、このフィルムテープ占有領域１７７の半径を「フィルムテープ巻回半径Ｒ７」という。【０２０１】
また、フィルムテープ５１と同様に、両面粘着テープ５３は、テープ印刷装置１による印刷が行われる度に、両面粘着スプール５６から引き出される。従って、テープカセット１６１の使用開始時において、最も多くの両面粘着テープ５３が両面粘着スプール５６に巻回されている（図２６参照）。
ここで、テープカセット１６１の使用開始時点において、両面粘着スプール５６に巻回されている両面粘着テープ５３が占有する領域を「両面粘着テープ占有領域１７８」という。また、この両面粘着テープ占有領域１７８の半径を「両面粘着テープ巻回半径Ｒ８」という。【０２０２】
そして、テープカセット１６１においては、セパレータ５３Ｄはテープ印刷装置１による印刷が行われる毎に、両面粘着テープ５３から剥離され、セパレータ巻き取りスプール６２に巻回される。従って、テープカセット１６１の使用完了時（即ち、テープカセット１６１がラベルの作成にフィルムテープ５１等を使い切った時）に、セパレータ５３Ｄは、セパレータ巻き取りスプール６２に対して最も多く巻回され、テープカセット１６１の内部において最も大きなスペースを占有する。尚、以下の説明において、セパレータ巻き取りスプール６２に最も多く巻回されたセパレータ５３Ｄが占有するスペースの半径を「セパレータ巻回半径Ｒ９」という。【０２０３】
上述したように、セパレータ巻き取りスプール６２は、テープスプール５４と両面粘着スプール５６との間に、回転可能に配設されている。そして、図３２に示すように、テープカセット１６１では、テープスプール５４の回転中心軸と、セパレータ巻き取りスプール６２の回転中心軸を結ぶ直線距離（以下、第５軸間距離Ｌ５という。）は、セパレータ巻回半径Ｒ９とフィルムテープ巻回半径Ｒ７との和よりも小さくなるように構成されている。従って、テープカセット１６１の使用終了時において、セパレータ巻き取りスプール６２に巻回されたセパレータ５３Ｄは、フィルムテープ占有領域１７７の一部分を占有する。【０２０４】
即ち、第５軸間距離Ｌ５を、セパレータ巻回半径Ｒ９とフィルムテープ巻回半径Ｒ７との和よりも小さくすることにより、テープカセット１６１は、フィルムテープ５１とセパレータ５３Ｄが共通して利用する第５重複領域１７９を生じさせる。これにより、テープカセット１６１は、第５重複領域１７９の大きさに応じて、テープカセット１６１自体の大型化を抑制し得る。また、テープカセット１６１の大型化を抑制することにより、当該テープカセット１６１は、テープ印刷装置１本体の大型化も抑制し得る。【０２０５】
また、テープカセット１６１では、両面粘着スプール５６の回転中心軸と、セパレータ巻き取りスプール６２の回転中心軸を結ぶ直線距離（以下、第６軸間距離Ｌ６という。）は、セパレータ巻回半径Ｒ９と両面粘着テープ巻回半径Ｒ８との和よりも小さくなるように構成されている。従って、テープカセット１６１の使用終了時において、セパレータ巻き取りスプール６２に巻回されたセパレータ５３Ｄは、両面粘着テープ占有領域１７８の一部分を占有する。【０２０６】
即ち、第６軸間距離Ｌ６を、セパレータ巻回半径Ｒ９と両面粘着テープ巻回半径Ｒ８との和よりも小さくすることにより、テープカセット１６１は、両面粘着テープ５３とセパレータ５３Ｄとが共通して利用する第６重複領域１８０を生じさせる。これにより、テープカセット１１１は、第６重複領域１８０の大きさに応じて、テープカセット１６１自体の大型化を抑制し得る。また、テープカセット１６１の大型化を抑制することにより、当該テープカセット１６１は、テープ印刷装置１本体の大型化も抑制し得る。【０２０７】
従って、テープカセット１６１は、図３２に示すように、第５重複領域１７９と第６重複領域１８０との何れをも生じさせるので、第５重複領域１７９の大きさと、第６重複領域１８０の大きさに応じて、テープカセット１６１の大型化を更に抑制し得る。そして、これに伴い、テープカセット１６１は、テープ印刷装置１の大型化についても更に抑制し得る。【０２０８】
尚、テープスプール５４と両面粘着スプール５６との距離を図３２に示す状態よりも大きくして、セパレータ巻き取りスプール６２をテープカセット１６１の内側方向へ移動させてもよい。そして、第５軸間距離Ｌ５をセパレータ巻回半径Ｒ９とフィルムテープ巻回半径Ｒ７との和よりも大きくなるように構成し、且つ、第６軸間距離Ｌ６をセパレータ巻回半径Ｒ９と両面粘着テープ巻回半径Ｒ８との和よりも小さくなるように構成してもよい。又は、第５軸間距離Ｌ５をセパレータ巻回半径Ｒ９とフィルムテープ巻回半径Ｒ７との和よりも小さくなるように構成し、且つ、第６軸間距離Ｌ６をセパレータ巻回半径Ｒ９と両面粘着テープ巻回半径Ｒ８との和よりも大きくなるように構成してもよい。【０２０９】
これにより、テープカセット１６１は、第５重複領域１７９と第６重複領域１８０のうちの何れか一方を生じさせるので、第５重複領域１７９の大きさと、第６重複領域１８０の大きさに応じて、テープカセット１６１の大型化を抑制し得る。そして、これに伴い、テープカセット１６１は、テープ印刷装置１の大型化についても更に抑制し得る。【０２１０】
従って、第１１実施形態に係るテープカセット１６１では、両面粘着テープ５３は、テープ送りローラ６３とテープサブローラ１１とによって、フィルムテープ５１の印刷された一方の面に圧着された後、セパレータ５３Ｄが剥離された状態で搬送されることとなる。これにより、所定長さに切断された印刷済みテープ２８を商品等に貼り付ける際に、セパレータ５３Ｄを剥がす手間を省くことができる。【０２１１】
また、セパレータ５３Ｄは、テープ送りローラ６３の外周面に沿ってセパレータ案内壁３７へ案内された後、凸状部３５Ａ、ガイドピン３６及び凸状部３５Ｂによって巻回された両面粘着テープ５３の外側周縁を通って略直角内側方向へ案内されて、セパレータ巻き取りスプール６２に巻き取られるため、剥離したセパレータ５３Ｄをテープカセット１６１内に収納することが可能となり、ユーザは両面粘着テープ５３から剥離したセパレータ５３Ｄを廃棄する手間を省くことができる。【０２１２】
また、両面粘着テープ５３が圧着されてセパレータ５３Ｄが剥離された印刷済みテープ２８は、セパレータ５３Ｄが剥離された両面粘着テープ５３の粘着層５３Ｃに接触する接触コロ１６２と案内壁３３とに挟まれて搬送されるため、印刷済みテープ２８がセパレータ５３Ｄ側に撓んでテープ排出口１６３で詰まることを防止して、当該印刷済みテープ２８をテープ排出口１６３から外部へスムーズに排出することが可能となる。【０２１３】
また、接触コロ１６２をテープ排出口１６３よりもテープ搬送方向外側に突出するように設けることによって、この接触コロ１６２の外径を大きくすることが可能となる。これにより、接触コロ１６２の組付け作業を容易に行うことが可能になるとともに、セパレータ５３Ｄが剥離された粘着剤付き印刷済みテープ２８が、テープ排出口１６３で詰まることをより確実に防止することが可能となる。【０２１４】
また、接触コロ１６２は、固定刃３０Ａに対向すると共に該固定刃３０Ａに近接して配置されるため、テープ切断位置と印刷済みテープ２８の印刷位置との距離を短くすることが可能となり、印刷済みテープ２８の余白長さを短くすることが可能となる。【０２１５】
また、案内壁３３は、接触コロ１６２よりもテープ搬送方向下流側へ延出されているため、印刷済みテープ２８の印刷面の裏面側をより確実に案内することが可能となる。また、接触コロ１６２が固定刃３０Ａに近接して配設されるため、印刷済みテープ２８の印刷面の裏面側をテープ切断位置、つまり、固定刃３０Ａの刃先の近傍まで確実に案内することが可能となる。【０２１６】
また、接触コロ１６２は、両面粘着テープ５３の粘着層５３Ｃに接触する外周面が、軸方向に平行な複数の断面略三角形の凸状形状に形成されているため、接触コロ１６２と両面粘着テープ５３の粘着層５３Ｃとの接触面積を小さくすることが可能となる。これにより、接触コロ１６２の外周面が両面粘着テープ５３の粘着層５３Ｃからスムーズに離れることが可能となり、印刷済みテープ２８をテープ排出口１６３から外部へスムーズに排出することができる。【０２１７】
また、接触コロ１６２の両面粘着テープ５３の粘着層５３Ｃに接触する外周面には、粘着剤による粘着力を小さくするシリコーン樹脂皮膜が形成されているため、接触コロ１６２の外周面が両面粘着テープ５３の粘着層５３Ｃからスムーズに離れることが可能となり、印刷済みテープ２８をテープ排出口１６３から外部へ更にスムーズに排出することが可能となる。【０２１８】
更に、セパレータ巻き取りスプール６２は、両面粘着スプール５６とテープスプール５４との間に配設されているため、テープ印刷装置１によるテープ印刷が行われることによってセパレータ巻き取りスプール６２に巻回可能なセパレータ５３Ｄの最大巻回長さを容易に大きくすることができ、テープカセット１６１の小型化を図ることが可能となる。【０２１９】
また、剥離したセパレータ５３Ｄをテープ送りローラ６３の外周面に沿って両面粘着スプール５６に巻回される両面粘着テープ５３の引き出し側へ案内後、セパレータ案内壁３７、凸状部３５Ａ、ガイドピン３６及び凸状部３５Ｂによって巻回された両面粘着テープ５３の外側周縁を通ってセパレータ巻き取りスプール６２まで案内することによって、テープカセット１６１内の隙間空間を有効に活用することができ、テープカセット１６１の更なる小型化を図ることが可能となる。【０２２０】
また、剥離ピン１６５によってフィルムテープ５１に圧着された両面粘着テープ５３からセパレータ５３Ｄをスムーズに剥離させることが可能となる。また、テープカセット１６１では、両面粘着テープ５３から剥離されたセパレータ５３Ｄが、振動等によって再度両面粘着テープ５３の粘着層５３Ｃへ付着するのを当該剥離ピン１６５によって確実に防止することが可能となる。【０２２１】
また、予備剥離ピン１６６によってセパレータ５３Ｄが両面粘着テープ５３から一度剥離された後、再度両面粘着テープ５３の粘着層５３Ｃに貼り合わされてテープ送りローラ６３へ搬送されるため、該両面粘着テープ５３のセパレータ５３Ｄに対する粘着力を低下させた状態でフィルムテープ５１の印刷面に圧着させることが可能となる。【０２２２】
このため、フィルムテープ５１に圧着された両面粘着テープ５３からセパレータ５３Ｄを容易に剥離することが可能となる。また、剥離ピン１６５によってフィルムテープ５１に圧着された両面粘着テープ５３からセパレータ５３Ｄを更にスムーズに剥離させることが可能となり、セパレータ５３Ｄが剥離された粘着剤付き印刷済みテープ２８をテープ排出口１６３へ更にスムーズに搬送することが可能となる。【０２２３】
［第１２実施形態］
次に、第１２実施形態に係るテープカセット１８１について図３３乃至図３５に基づいて説明する。尚、以下の説明において上記図１乃至図８の第１実施形態に係るテープカセット２１及びテープ印刷装置１の構成等と同一符号は、該第１実施形態に係るテープカセット２１及びテープ印刷装置１等の構成等と同一あるいは相当部分を示すものである。また、上記図２６乃至図３２の第１１実施形態に係るテープカセット１６１の構成等と同一符号は、該第１１実施形態に係るテープカセット１６１の構成等と同一あるいは相当部分を示すものである。【０２２４】
第１２実施形態に係るテープカセット１８１の概略構成は、第１１実施形態に係るテープカセット１６１とほぼ同じ構成である。
但し、図３３乃至図３５に示すように、上記剥離ピン１６５に替えて、テープ送りローラ６３とテープサブローラ１１によってフィルムテープ５１に圧着された両面粘着テープ５３と該テープ送りローラ６３との間に、両面粘着テープ５３のセパレータ５３Ｄに接触する接触部材の一例としての接触ピン１８２が設けられている。また、接触ピン１８２は、テープ送りローラ６３と所定距離（例えば、距離約０．５ｍｍである。）だけ離間するように設けられている。【０２２５】
そして、セパレータ５３Ｄは、接触ピン１８２の外周面に沿ってフィルムテープ５１に圧着された両面粘着テープ５３から剥離されて、再度、テープ送りローラ６３の外周面に沿って両面粘着スプール５６側に、つまり、引き出し側方向（図３３中、上側方向である。）へ案内される。続いて、セパレータ５３Ｄは、上記第１１実施形態に係るテープカセット１６１と同様に、セパレータ案内壁３７の壁面に沿って案内リブ３５の外側方向に案内されてセパレータ巻き取りスプール６２に至る。【０２２６】
この接触ピン１８２は、印刷済みテープ２８のテープ幅よりも長い断面円形の略円柱形状で、両端面中心位置に各支持軸１８２Ａが立設されている。また、テープカセット１８１の上ケース２３及び下ケース２４には、接触ピン１８２の各支持軸１８２Ａを回転可能に支持する各支持孔１８３が形成されている。そして、接触ピン１８２の各支持軸１８２Ａは、各支持孔１８３に挿入されて、回転可能に設けられている。【０２２７】
従って、第１２実施形態に係るテープカセット１８１では、接触ピン１８２は、両端部が回転可能に支持されると共に、フィルムテープ５１に圧着された両面粘着テープ５３のセパレータ５３Ｄの全幅に渡って接触する。【０２２８】
上記のように構成されたテープカセット１８１では、両面粘着スプール５６から引き出された両面粘着テープ５３は、一対の上流側ガイド部１７１Ａ、１７１Ｂの間を幅方向への移動を規制されつつ通過後、両端部を回転可能に支持される予備剥離ピン１６６によってセパレータ５３Ｄが両面粘着テープ５３から剥離される。その後、セパレータ５３Ｄと、セパレータ５３Ｄが剥離された両面粘着テープ５３とは、各段差部１７４、１７４と各下流側コロ１７２Ａ、１７２Ｂとの間を通過することによって、該セパレータ５３Ｄは、再度、両面粘着テープ５３の粘着層５３Ｃに貼り合わされて、テープ送りローラ６３の外周面に沿って引き出される。そして、両面粘着テープ５３は、テープ駆動ローラ軸１４によって回転駆動されるテープ送りローラ６３とテープサブローラ１１との間を通過し、セパレータ５３Ｄが重ね合わされない側の粘着層５３Ａがフィルムテープ５１の印刷面に圧着される。【０２２９】
その後、セパレータ５３Ｄは、接触ピン１８２の外周面に沿ってフィルムテープ５１に圧着された両面粘着テープ５３から剥離されて、再度、テープ送りローラ６３の外周面に沿って両面粘着スプール５６側に、つまり、引き出し側方向（図３３中、上側方向である。）へ案内される。続いて、セパレータ５３Ｄは、セパレータ案内壁３７の壁面に沿って案内リブ３５の外側方向に案内されて、凸状部３５Ａ、ガイドピン３６及び凸状部３５Ｂの外周面に順次沿って、巻回された両面粘着テープ５３の外側周縁を通って略直角内側方向へ案内されてセパレータ巻き取りスプール６２に至る。【０２３０】
そして、セパレータ５３Ｄの先端部は、このセパレータ巻き取りスプール６２の外周面に接着テープ等によって固着され、セパレータ巻取軸１６により回転駆動される該セパレータ巻き取りスプール６２に巻き取られる。尚、セパレータ巻取軸１６は、テープ駆動ローラ軸１４及びリボン巻取軸１５と同期して回転駆動される。【０２３１】
また、フィルムテープ５１は、テープ駆動ローラ軸１４によって回転駆動されるテープ送りローラ６３とテープサブローラ１１との間を通過後、印刷面に粘着層５３Ａ、ベースフィルム５３Ｂ及び粘着層５３Ｃが積層された状態で接触コロ１６２に至る。そして、印刷面に粘着層５３Ａ、ベースフィルム５３Ｂ及び粘着層５３Ｃが積層されたフィルムテープ５１は、つまり、セパレータ５３Ｄが剥離された粘着剤付き印刷済みテープ２８は、粘着層５３Ｃに接触する接触コロ１６２と、該接触コロ１６２に対して印刷済みテープ２８を挟んで対向する案内壁３３とによって案内されて、テープ排出口１６３からテープカセット１６１の外部に送り出される。そして、セパレータ５３Ｄが剥離された粘着剤付き印刷済みテープ２８は、カッタユニット３０を経てテープ印刷装置１のラベル排出口１７より外部に送り出される。【０２３２】
そして、印刷済みテープ２８を所定長さ搬送後、不図示の切断用モータを駆動して可動刃３０Ｂを作動させることによって、セパレータ５３Ｄが剥離された所定長さの粘着剤付き印刷済みテープ２８がラベル排出口１７より排出される。【０２３３】
これにより、第１２実施形態に係るテープカセット１８１では、第１１実施形態に係るテープカセット１６１が奏する上記作用効果に加えて、接触ピン１８２によって両面粘着テープ５３を押さえつつ、この接触ピン１８２の外周面に沿って搬送することで印刷済みテープ２８の搬送方向とは異なる方向へ急激にセパレータ５３Ｄの搬送方向を切り換えることにより、両面粘着テープ５３からセパレータ５３Ｄをスムーズに剥離させることが可能となる。また、接触ピン１８２によって両面粘着テープ５３から剥離されたセパレータ５３Ｄを外側方向に張ることが可能となり、剥離されたセパレータ５３Ｄの撓みを防止してスムーズにテープ送りローラ６３の外周面へ案内することが可能となる。【０２３４】
また、予備剥離ピン１６６によってセパレータ５３Ｄが両面粘着テープ５３から一度剥離された後、再度両面粘着テープ５３の粘着層５３Ｃに貼り合わされてテープ送りローラ６３へ搬送されるため、該両面粘着テープ５３のセパレータ５３Ｄに対する粘着力を低下させた状態でフィルムテープ５１の印刷面に圧着させることが可能となる。【０２３５】
このため、接触ピン９２によってフィルムテープ５１に圧着された両面粘着テープ５３からセパレータ５３Ｄをスムーズに剥離させることが可能となり、セパレータ５３Ｄが剥離された粘着剤付き印刷済みテープ２８をテープ排出口１６３へスムーズに搬送することが可能となる。【０２３６】
［第１３実施形態］
次に、第１３実施形態に係るテープ印刷装置２０１及びテープカセット２２１について図３６乃至図４０に基づいて説明する。尚、以下の説明において上記図１乃至図８の第１実施形態に係るテープ印刷装置１及びテープカセット２１の構成等と同一符号は、該第１実施形態に係るテープ印刷装置１及びテープカセット２１等の構成等と同一あるいは相当部分を示すものである。【０２３７】
第１３実施形態に係るテープ印刷装置２０１の概略構成は、第１実施形態に係るテープ印刷装置１とほぼ同じ構成である。但し、テープ印刷装置２０１は、カセット収納部８に替えて、テープカセット２２１（図３７参照）を収納するカセット収納部２０２が設けられている点で異なっている。【０２３８】
ここで、カセット収納部２０２について図３６に基づいて説明する。図３６に示すように、カセット収納部２０２には、回転可能に立設されたプラテンローラ２０３と、このプラテンローラ２０３のテープ搬送方向下流側に配置された金属製のテープ駆動ローラ軸１４と、プラテンローラ２０３に対向するサーマルヘッド９と、テープ駆動ローラ軸１４に対向するテープサブローラ１１と、テープカセット２２１内に収納されるインクリボン２２２（図３７参照）を送るリボン巻取軸２０５が配置されている他に、更に後述のようにレセプターテープ２２３（図３７参照）から剥離されたセパレータ２２３Ｃ（図４０参照）を巻き取るセパレータ巻取軸２０６等が配置されている。【０２３９】
また、カセット収納部２０２内において、ヘッドホルダ２０７が支持軸２０８により回動可能に枢支されている。このヘッドホルダ２０７には、上端面に放熱板９Ａが立設されると共に、この放熱板９Ａのプラテンローラ２０３に対向する側縁部に、サーマルヘッド９がテープ搬送方向に略直交するように取り付けられている。また、ヘッドホルダ２０７の先端部には、テープサブローラ１１が回転可能に軸支されている。そして、テープカセット２２１が装着された場合には、このヘッドホルダ２０７がプラテンローラ２０３側方向へ回動されて、サーマルヘッド９がプラテンローラ２０３に押し当てられると共に、テープサブローラ１１がテープ送りローラ６３に押し当てられるように構成されている（図３７参照）。【０２４０】
また、リボン巻取軸２０５は、ステッピングモータ等により構成される不図示のテープ送りモータから適宜の駆動機構を介して回転駆動され、後述のようにテープカセット２２１内に回転可能に設けられたリボン巻き取りスプール２２５（図３７参照）内に嵌入されて回転駆動する。また、テープ駆動ローラ軸１４は、テープ送りモータから適宜の伝達機構を介して回転駆動され、後述のようにテープカセット２２１内に回転可能に設けられた導電性樹脂製のテープ送りローラ６３（図３７参照）内に嵌入されて回転駆動する。また、セパレータ巻取軸２０６は、テープ送りモータから適宜の伝達機構を介して回転駆動され、後述のようにテープカセット２２１内に回転可能に設けられたセパレータ巻き取りスプール２２６（図３７参照）内に嵌入されて回転駆動する。【０２４１】
尚、セパレータ巻取軸２０６をテープ送りモータとは別個に設けられたステッピングモータ等により構成される不図示のセパレータ巻取モータから適宜の駆動機構を介して回転駆動するように構成してもよい。これにより、インクリボン２２２とセパレータ２２３Ｃの伸び率等が大きく異なっても該セパレータ２２３Ｃを安定して巻き取ることが可能となる。【０２４２】
また、テープカセット２２１のテープ排出口２２７（図３７参照）の近傍には、剥離コロ６５の外周面に沿ってセパレータ２２３Ｃが剥離された印刷済みテープ２２８を所定の長さに切断し、セパレータ２２３Ｃが剥離された粘着剤付きラベルを生成する切断装置としてのはさみ式カッタユニット３０が配置されている。このカッタユニット３０は、固定刃３０Ａと、不図示の切断用モータによって固定刃３０Ａに対して作動して印刷済みテープ２２８を切断する可動刃３０Ｂとから構成されている。また、カッタユニット３０のテープ搬送方向下流側（図３６中、左側）の側面部には、印刷されて後述のようにセパレータが剥離されたテープが排出されるラベル排出口１７が形成されている。【０２４３】
次ぎに、テープカセット２２１の概略構成について図３７乃至図４０に基づいて説明する。
図３７に示すように、テープカセット２２１内には、レセプターテープ２２３が剥離紙やフィルム等から形成されるセパレータ２２３Ｃを内側に向けて巻回されたテープスプール２３１が、底面に立設されたカセットボス２３２に回転可能に嵌挿されている。【０２４４】
ここで、図４０に示すように、セパレータ２２３Ｃを内側にしてテープスプール２３１に巻回されたレセプターテープ２２３は、３層構造に形成されている。このレセプターテープ２２３の各層は、図４０中下側から上側方向に向かって、インクリボン２２２とサーマルヘッド９を介して一面側（図４０中、下側の面である。）に印刷される透明又は色付きのフィルムテープ２２３Ａ、商品等の貼り付け対象に貼り付けるための粘着層２２３Ｂ、この粘着層２２３Ｂの貼り付け側を覆うセパレータ２２３Ｃの順序で積層されて構成されている。【０２４５】
また、図３７に示すように、テープカセット２２１内には、インクリボン２２２が巻回されたリボンスプール２３３が、底面に立設されるリールボス２３５に回転可能に嵌挿されている。また、使用済みのインクリボン２２２を巻き取るリボン巻き取りスプール２２５、及びレセプターテープ２２３から剥離されたセパレータ２２３Ｃを巻き取るセパレータ巻き取りスプール２２６が軸方向両端部を回転可能に支持されている。【０２４６】
また、テープ排出口２２７の上流側には導電性樹脂製のテープ送りローラ６３が軸方向両端部を回転可能に支持されている。また、テープ送りローラ６３のテープ搬送方向下流側、つまり、テープ排出口２２７側には、剥離コロ６５が軸方向両端部を回転可能に支持されている。【０２４７】
また、図３８及び図３９に示すように、上ケース２３７と下ケース２３８とによって形成されるテープ排出口２２７は、テープ送りローラ６３とテープサブローラ１１とによって送り出された印刷済みテープ２２８のテープ厚さ方向に剥離コロ６５の外径よりも大きい幅広に開設されると共に、印刷済みテープ２２８のテープ幅方向に該印刷済みテープ２２８のテープ幅とほぼ同じ幅に開設されている。【０２４８】
また、剥離コロ６５は、テープ排出口２２７のテープ搬送方向に対して直角方向の両内側側壁部を形成する側壁部２３８Ｂの印刷済みテープ２２８側の端縁部から所定距離離間すると共に、印刷済みテープ２２８のフィルムテープ２２３Ａの外側面に接触して該印刷済みテープ２２８をテープ搬送方向下流側へ案内する案内壁２３９から所定距離離間するように配置されている。【０２４９】
また、この剥離コロ６５は、印刷済みテープ２２８のテープ幅、つまり、レセプターテープ２２３のテープ幅とほぼ同じ長さの断面円形の略円柱形状で、両端面中心位置に各支持軸６５Ａが立設され、上ケース２３７と下ケース２３８とに形成された各支持孔２４８に回転可能に嵌入されている。また、剥離コロ６５は、外周面にシリコーン樹脂皮膜が形成されている。【０２５０】
また、剥離コロ６５は、外周面がテープ送りローラ６３とテープサブローラ１１との共通接線にほぼ接するように、該テープ送りローラ６３側に配置され、該テープ送りローラ６３とテープサブローラ１１とを通過したレセプターテープ２２３のセパレータ２２３Ｃに接触し、該セパレータ２２３Ｃを外周面に沿ってテープ送りローラ６３側へ案内する（図４０参照）。【０２５１】
また、剥離コロ６５は、テープ送りローラ６３に対向する側壁部２３８Ｂよりもテープ搬送方向外側に突出して、固定刃３０Ａに対向すると共に該固定刃３０Ａに近接するように設けられている。
また、剥離コロ６５に対して印刷済みテープ２２８を挟んで対向する案内壁２３９は、この剥離コロ６５よりもテープ搬送方向下流側へ延出されて、セパレータ２２３Ｃが剥離された印刷済みテープ２２８を固定刃３０Ａの近傍位置まで案内可能となるように設けられている。【０２５２】
また、剥離コロ６５に対してセパレータ２２３Ｃを挟んで対向する側壁部２３８Ｂの端縁部の内側面は、剥離コロ６５とテープ送りローラ６３との共通接線に対してほぼ平行になるように斜め内側方向（図３８中、斜め右上方向である。）に傾斜するように形成されている。これにより、レセプターテープ２２３から剥離コロ６５の外周面に沿って剥離されてテープ送りローラ６３側へ案内されたセパレータ２２３Ｃが、側壁部２３８Ｂの端縁部と接触するのを防止することができる。また、テープ送りローラ６３のテープサブローラ１１に対して反対側には、セパレータ２２３Ｃとの接触面を平面視円弧状に形成されたセパレータ案内壁２４０が、側壁部２３８Ｂから該テープ送りローラ６３と所定隙間を形成して内側方向に突出している。【０２５３】
そして、図３７に示すように、リボンスプール２３３に巻回され、このリボンスプール２３３から引き出された未使用インクリボン２２２は、レセプターテープ２２３のフィルムテープ２２３Ａ側の面に重ね合わされ、レセプターテープ２２３と共に開口部２３６に入り、サーマルヘッド９及びプラテンローラ２０３の間を通過する。その後、インクリボン２２２は、レセプターテープ２２３から引き離され、リボン巻取軸２０５により回転駆動されるリボン巻き取りスプール２２５に至り、このリボン巻き取りスプール２２５により巻き取られる。【０２５４】
一方、図３７乃至図４０に示すように、フィルムテープ２２３Ａに印刷されたレセプターテープ２２３は、テープ駆動ローラ軸１４によって回転駆動されるテープ送りローラ６３とテープサブローラ１１との間を通過後、剥離コロ６５に至る。その後、セパレータ２２３Ｃは、剥離コロ６５の外周面に沿ってレセプターテープ２２３から剥離され、テープ送りローラ６３の外周面に沿ってセパレータ案内壁２４０へ案内される。続いて、セパレータ２２３Ｃは、セパレータ案内壁２４０の壁面に沿って案内されてセパレータ巻き取りスプール２２６に至る。【０２５５】
そして、セパレータ２２３Ｃの先端部は、このセパレータ巻き取りスプール２２６の外周面に接着テープ等によって固着され、セパレータ巻取軸２０６により回転駆動される該セパレータ巻き取りスプール２２６に巻き取られる。尚、セパレータ巻取軸２０６は、テープ駆動ローラ軸１４及びリボン巻取軸２０５と同期して回転駆動される。【０２５６】
また、セパレータ２２３Ｃが剥離されたレセプターテープ２２３、つまり、粘着剤付き印刷済みテープ２２８は、該剥離コロ６５に対して印刷済みテープ２２８を挟んで対向する案内壁２３９によって案内されて、テープ排出口２２７からテープカセット２２１の外部に送り出される。そして、セパレータ２２３Ｃが剥離された粘着剤付き印刷済みテープ２２８は、カッタユニット３０を経てテープ印刷装置２０１のラベル排出口１７より外部に送り出される。【０２５７】
そして、印刷済みテープ２２８を所定長さ搬送後、不図示の切断用モータを駆動して可動刃３０Ｂを作動させることによって、セパレータ２２３Ｃが剥離された所定長さの粘着剤付き印刷済みテープ２２８がラベル排出口１７より排出される。【０２５８】
従って、第１３実施形態に係るテープ印刷装置２０１及びテープカセット２２１では、レセプターテープ２２３は、サーマルヘッド９を介してインクリボン２２２が重ねられたフィルムテープ２２３Ａ側に印刷された後、テープ排出口２２７でセパレータ２２３Ｃが剥離された状態で搬送されることとなる。これにより、所定長さに切断された印刷済みテープ２２８を商品等に貼り付ける際に、セパレータ２２３Ｃを剥がす手間を省くことができる。【０２５９】
また、テープ排出口２２７でレセプターテープ２２３から剥離コロ６５の外周面に沿って剥離されたセパレータ２２３Ｃは、テープ送りローラ６３とセパレータ案内壁２４０との間へ案内されて、セパレータ巻き取りスプール２２６に巻き取られる。これにより、剥離したセパレータ２２３Ｃをテープカセット２２１内に収納することが可能となり、ユーザはレセプターテープ２２３から剥離したセパレータ２２３Ｃを廃棄する手間を省くことができる。【０２６０】
また、セパレータ２２３Ｃは、テープ排出口２２７でレセプターテープ２２３から剥離コロ６５の外周面に沿って剥離されて、テープ送りローラ６３とセパレータ案内壁２４０との間へ案内されるため、セパレータ２２３Ｃが印刷済みテープ２２８側に撓んでレセプターテープ２２３の粘着層２２３Ｂに再度付着することを確実に防止でき、当該印刷済みテープ２２８をテープ排出口２２７から外部へスムーズに排出することが可能となる。【０２６１】
また、剥離コロ６５は回転可能なため、印刷済みテープ２２８の走行時の負荷を低減することができ、該印刷済みテープ２２８をテープ排出口２２７から外部へスムーズに排出することが可能となる。
また、剥離コロ６５をテープ排出口２２７よりもテープ搬送方向外側に突出するように設けることによって、この剥離コロ６５の外径を大きくすることが可能となる。これにより、剥離コロ６５の組付け作業を容易に行うことが可能になるとともに、粘着剤付き印刷済みテープ２２８が、テープ排出口２２７で詰まることをより確実に防止することが可能となる。【０２６２】
また、剥離コロ６５は、固定刃３０Ａに対向すると共に該固定刃３０Ａに近接して配置されるため、テープ切断位置と印刷済みテープ２２８の印刷位置との距離を短くすることが可能となり、印刷済みテープ２２８の余白長さを短くすることが可能となる。【０２６３】
また、剥離コロ６５に対して印刷済みテープ２２８を挟んで対向する案内壁２３９は、この剥離コロ６５よりもテープ搬送方向下流側へ延出されているため、印刷済みテープ２２８の印刷面をより確実に案内することが可能となる。また、剥離コロ６５が固定刃３０Ａに近接して配設されるため、印刷済みテープ２２８の印刷面をテープ切断位置、つまり、固定刃３０Ａの刃先の近傍まで確実に案内することが可能となる。【０２６４】
［第１４実施形態］
次に、第１４実施形態に係るテープカセット２５１について図４１乃至図４４に基づいて説明する。尚、以下の説明において、上記図３６乃至図４０の第１３実施形態に係るテープ印刷装置２０１及びテープカセット２２１の構成等と同一符号は、該第１３実施形態に係るテープ印刷装置２０１及びテープカセット２２１の構成等と同一あるいは相当部分を示すものである。【０２６５】
第１４実施形態に係るテープカセット２５１は、第１３実施形態に係るテープカセット２２１と比較して、インクリボン２２２、インクリボン２２２が巻回されるリボンスプール２３３、リールボス２３５、及び、使用済みのインクリボン２２２を巻き取るリボン巻き取りスプール２２５が設けられていない点で異なっている。【０２６６】
図４１に示すように、テープカセット２５１内には、感熱テープ２５２が剥離紙やフィルム等から形成されるセパレータ２５２Ｃ（図４４参照）を内側に向けて巻回されたテープスプール２５３が、底面に立設されたカセットボス２５５に回転可能に嵌挿されている。また、感熱テープ２５２から剥離されたセパレータ２５２Ｃを巻き取るセパレータ巻き取りスプール２２６が軸方向両端部を回転可能に支持されている。【０２６７】
ここで、図４４に示すように、セパレータ２５２Ｃを内側にしてテープスプール２５３に巻回された感熱テープ２５２は、３層構造に形成されている。この感熱テープ２５２の各層は、図４４中下側から上側方向に向かって、表面部に（図４４中、下側面である。）感熱発色層が形成されたベーステープ２５２Ａ、商品等の貼り付け対象に貼り付けるための粘着層２５２Ｂ、この粘着層２５２Ｂの貼り付け側を覆うセパレータ２５２Ｃの順序で積層されて構成されている。【０２６８】
また、図４１に示すように、テープ排出口２５６の上流側には導電性樹脂製のテープ送りローラ６３が軸方向両端部を回転可能に支持されている。また、テープ送りローラ６３のテープ搬送方向下流側、つまり、テープ排出口２５６側には、剥離コロ６５が軸方向両端部を回転可能に支持されている。【０２６９】
また、図４２及び図４３に示すように、上ケース２５７と下ケース２５８とによって形成されるテープ排出口２５６は、テープ送りローラ６３とテープサブローラ１１とによって送り出された印刷済みテープ２６１のテープ厚さ方向に剥離コロ６５の外径よりも大きい幅広に開設されると共に、印刷済みテープ２６１のテープ幅方向に該印刷済みテープ２６１のテープ幅とほぼ同じ幅に開設されている。【０２７０】
また、剥離コロ６５は、テープ排出口２５６のテープ搬送方向に対して直角方向の両内側側壁部を形成する側壁部２５８Ｂの印刷済みテープ２６１側の端縁部から所定距離離間すると共に、印刷済みテープ２６１のベーステープ２５２Ａの外側面に接触して該印刷済みテープ２６１をテープ搬送方向下流側へ案内する案内壁２６２から所定距離離間するように配置されている。【０２７１】
また、この剥離コロ６５は、印刷済みテープ２６１のテープ幅、つまり、感熱テープ２５２のテープ幅とほぼ同じ長さの断面円形の略円柱形状で、両端面中心位置に各支持軸６５Ａが立設され、上ケース２５７と下ケース２５８とに形成された各支持孔２６３に回転可能に嵌入されている。また、剥離コロ６５は、外周面にシリコーン樹脂皮膜が形成されている。【０２７２】
また、剥離コロ６５は、外周面がテープ送りローラ６３とテープサブローラ１１との共通接線にほぼ接するように、該テープ送りローラ６３側に配置され、該テープ送りローラ６３とテープサブローラ１１とを通過した感熱テープ２５２のセパレータ２５２Ｃに接触し、該セパレータ２５２Ｃを外周面に沿ってテープ送りローラ６３側へ案内する（図４４参照）。【０２７３】
また、剥離コロ６５は、テープ送りローラ６３に対向する側壁部２５８Ｂよりもテープ搬送方向外側に突出して、固定刃３０Ａに対向すると共に該固定刃３０Ａに近接するように設けられている。
また、剥離コロ６５に対して印刷済みテープ２６１を挟んで対向する案内壁２６２は、この剥離コロ６５よりもテープ搬送方向下流側へ延出されて、セパレータ２５２Ｃが剥離された印刷済みテープ２６１を固定刃３０Ａの近傍位置まで案内可能となるように設けられている。【０２７４】
また、剥離コロ６５に対してセパレータ２５２Ｃを挟んで対向する側壁部２５８Ｂの端縁部の内側面は、剥離コロ６５とテープ送りローラ６３との共通接線に対してほぼ平行になるように斜め内側方向（図４２中、斜め右上方向である。）に傾斜するように形成されている。これにより、感熱テープ２５２から剥離コロ６５の外周面に沿って剥離されてテープ送りローラ６３側へ案内されたセパレータ２５２Ｃが、側壁部２５８Ｂの端縁部と接触するのを防止することができる。また、テープ送りローラ６３のテープサブローラ１１に対して反対側には、セパレータ２５２Ｃとの接触面を平面視円弧状に形成されたセパレータ案内壁２６５が、側壁部２５８Ｂから該テープ送りローラ６３と所定隙間を形成して内側方向に突出している。【０２７５】
そして、図４１に示すように、テープスプール２５３に巻回され、このテープスプール２５３から引き出された感熱テープ２５２は、開口部２６６に入り、サーマルヘッド９及びプラテンローラ２０３の間を通過する。
そして、図４２乃至図４４に示すように、ベーステープ２５２Ａに印刷された感熱テープ２５２は、テープ駆動ローラ軸１４によって回転駆動されるテープ送りローラ６３とテープサブローラ１１との間を通過後、剥離コロ６５に至る。その後、セパレータ２５２Ｃは、剥離コロ６５の外周面に沿って感熱テープ２５２から剥離され、テープ送りローラ６３の外周面に沿ってセパレータ案内壁２６５へ案内される。続いて、セパレータ２５２Ｃは、セパレータ案内壁２６５の壁面に沿って案内されてセパレータ巻き取りスプール２２６に至る。【０２７６】
そして、セパレータ２５２Ｃの先端部は、このセパレータ巻き取りスプール２２６の外周面に接着テープ等によって固着され、セパレータ巻取軸２０６により回転駆動される該セパレータ巻き取りスプール２２６に巻き取られる。尚、セパレータ巻取軸２０６は、テープ駆動ローラ軸１４と同期して回転駆動される。【０２７７】
また、セパレータ２５２Ｃが剥離された感熱テープ２５２、つまり、粘着剤付き印刷済みテープ２６１は、該剥離コロ６５に対して印刷済みテープ２６１を挟んで対向する案内壁２６２によって案内されて、テープ排出口２５６からテープカセット２５１の外部に送り出される。そして、セパレータ２５２Ｃが剥離された粘着剤付き印刷済みテープ２６１は、カッタユニット３０を経てテープ印刷装置２０１のラベル排出口１７より外部に送り出される。【０２７８】
そして、印刷済みテープ２６１を所定長さ搬送後、不図示の切断用モータを駆動して可動刃３０Ｂを作動させることによって、セパレータ２５２Ｃが剥離された所定長さの粘着剤付き印刷済みテープ２６１がラベル排出口１７より排出される。【０２７９】
従って、第１４実施形態に係るテープ印刷装置２０１及びテープカセット２５１では、感熱テープ２５２は、サーマルヘッド９を介してベーステープ２５２Ａ側に印刷された後、テープ排出口２５６でセパレータ２５２Ｃが剥離された状態で搬送されることとなる。これにより、所定長さに切断された印刷済みテープ２６１を商品等に貼り付ける際に、セパレータ２５２Ｃを剥がす手間を省くことができる。【０２８０】
また、テープ排出口２５６で感熱テープ２５２から剥離コロ６５の外周面に沿って剥離されたセパレータ２５２Ｃは、テープ送りローラ６３とセパレータ案内壁２６５との間へ案内されて、セパレータ巻き取りスプール２２６に巻き取られるため、剥離したセパレータ２５２Ｃをテープカセット２５１内に収納することが可能となり、ユーザは感熱テープ２５２から剥離したセパレータ２５２Ｃを廃棄する手間を省くことができる。【０２８１】
また、セパレータ２５２Ｃは、テープ排出口２５６で感熱テープ２５２から剥離コロ６５の外周面に沿って剥離されて、テープ送りローラ６３とセパレータ案内壁２６５との間へ案内されるため、セパレータ２５２Ｃが印刷済みテープ２６１側に撓んで感熱テープ２５２の粘着層２５２Ｂに再度付着することを確実に防止でき、当該印刷済みテープ２６１をテープ排出口２５６から外部へスムーズに排出することが可能となる。【０２８２】
また、剥離コロ６５は回転可能なため、印刷済みテープ２６１の走行時の負荷を低減することができ、該印刷済みテープ２６１をテープ排出口２５６から外部へスムーズに排出することが可能となる。
また、剥離コロ６５をテープ排出口２５６よりもテープ搬送方向外側に突出するように設けることによって、この剥離コロ６５の外径を大きくすることが可能となる。これにより、剥離コロ６５の組付け作業を容易に行うことが可能になるとともに、粘着剤付き印刷済みテープ２６１が、テープ排出口２５６で詰まることをより確実に防止することが可能となる。【０２８３】
また、剥離コロ６５は、固定刃３０Ａに対向すると共に該固定刃３０Ａに近接して配置されるため、テープ切断位置と印刷済みテープ２６１の印刷位置との距離を短くすることが可能となり、印刷済みテープ２６１の余白長さを短くすることが可能となる。【０２８４】
また、剥離コロ６５に対して印刷済みテープ２６１を挟んで対向する案内壁２６２は、この剥離コロ６５よりもテープ搬送方向下流側へ延出されているため、印刷済みテープ２６１の印刷面をより確実に案内することが可能となる。また、剥離コロ６５が固定刃３０Ａに近接して配設されるため、印刷済みテープ２６１の印刷面をテープ切断位置、つまり、固定刃３０Ａの刃先の近傍まで確実に案内することが可能となる。【０２８５】
［第１５実施形態］
次に、第１５実施形態に係るテープカセット２７１について図４５乃至図４８に基づいて説明する。尚、以下の説明において、上記図３６乃至図４０の第１３実施形態に係るテープ印刷装置２０１及びテープカセット２２１の構成等と同一符号は、該第１３実施形態に係るテープ印刷装置２０１及びテープカセット２２１の構成等と同一あるいは相当部分を示すものである。【０２８６】
第１５実施形態に係るテープカセット２７１の概略構成は、第１３実施形態に係るテープカセット２２１とほぼ同じ構成である。
但し、図４５乃至図４８に示すように、印刷済みテープ２２８が排出されるテープ排出口２７２は、正面視スリット状でテープ搬送方向に所定幅（例えば、幅約３ｍｍである。）に形成されている。また、このテープ排出口２７２のレセプターテープ２２３のセパレータ２２３Ｃに接触する一方の案内壁２７２Ａに連続する側壁部２３８Ｂ、つまり、テープ送りローラ６３に対向する側壁部２３８Ｂには、この案内壁２７２Ａの出口側端縁部でレセプターテープ２２３から剥離されたセパレータ２３２Ｃが進入可能なセパレータ入口２７３が貫通して形成されている。【０２８７】
また、テープ排出口２７２は、案内壁２７２Ａに対して印刷済みテープ２２８を挟んで該印刷済みテープ２２８のフィルムテープ２２３Ａの外側面に接触して該印刷済みテープ２２８をテープ搬送方向下流側へ案内する案内壁２７２Ｂが所定距離（例えば、距離約１ｍｍである。）離間して設けられている。そして、各案内壁２７２Ａ、２７２Ｂの出口側端縁部は、側壁部２３８Ｂよりもテープ搬送方向下流側に突出して、固定刃３０Ａに対向すると共に該固定刃３０Ａに近接するように設けられている。【０２８８】
また、テープ排出口２７２を構成する案内壁２７２Ａのテープ搬送方向下流側、つまり、出口側端縁部は、先端部が平面視鋭角状に（例えば、先端角度が約３０度〜約５０度である。）セパレータ入口２７３方向へ傾斜する傾斜面２７２Ｃを構成するように形成されている。この傾斜面２７２Ｃは、該案内壁２７２Ａの出口側端縁部とテープ送りローラ６３との共通接線よりも印刷済みテープ２２８側に傾斜するように形成されて、剥離されたセパレータ２２３Ｃと接触しないように構成されている。【０２８９】
また、セパレータ入口２７３の印刷済みテープ２２８側の内側側面は、傾斜面２７２Ｃのテープ送りローラ６３側の端縁部に連続すると共に、該セパレータ入口２７３のセパレータ２２３Ｃを挟んで対向する両内側面は、案内壁２７２Ａの出口側端縁部とテープ送りローラ６３との共通接線を挟んで該共通接線に対してほぼ平行になるよう所定距離（例えば、距離約２ｍｍである。）離間して形成されている。【０２９０】
そして、図４５乃至図４８に示すように、フィルムテープ２２３Ａに印刷されたレセプターテープ２２３は、テープ駆動ローラ軸１４によって回転駆動されるテープ送りローラ６３とテープサブローラ１１との間を通過後、テープ排出口２７２の出口側端縁部に至る。その後、セパレータ２２３Ｃは、テープ排出口２７２の案内壁２７２Ａの出口側先端縁部に沿ってレセプターテープ２２３から剥離されて、セパレータ入口２７３内に進入して、テープ送りローラ６３の外周面に沿ってセパレータ案内壁２４０へ案内される。続いて、セパレータ２２３Ｃは、セパレータ案内壁２４０の壁面に沿って案内されてセパレータ巻き取りスプール２２６に至る。【０２９１】
そして、セパレータ２２３Ｃの先端部は、このセパレータ巻き取りスプール２２６の外周面に接着テープ等によって固着され、セパレータ巻取軸２０６により回転駆動される該セパレータ巻き取りスプール２２６に巻き取られる。尚、セパレータ巻取軸２０６は、テープ駆動ローラ軸１４及びリボン巻取軸２０５と同期して回転駆動される。【０２９２】
また、セパレータ２２３Ｃが剥離されたレセプターテープ２２３、つまり、粘着剤付き印刷済みテープ２２８は、テープ排出口２７２からテープカセット２７１の外部に送り出される。そして、セパレータ２２３Ｃが剥離された粘着剤付き印刷済みテープ２２８は、カッタユニット３０を経てテープ印刷装置２０１のラベル排出口１７より外部に送り出される。【０２９３】
そして、印刷済みテープ２２８を所定長さ搬送後、不図示の切断用モータを駆動して可動刃３０Ｂを作動させることによって、セパレータ２２３Ｃが剥離された所定長さの粘着剤付き印刷済みテープ２２８がラベル排出口１７より排出される。【０２９４】
従って、第１５実施形態に係るテープ印刷装置２０１及びテープカセット２７１では、レセプターテープ２２３は、サーマルヘッド９を介してインクリボン２２２が重ねられたフィルムテープ２２３Ａ側に印刷された後、テープ排出口２７２でセパレータ２２３Ｃが剥離された状態で搬送されることとなる。これにより、所定長さに切断された印刷済みテープ２２８を商品等に貼り付ける際に、セパレータ２２３Ｃを剥がす手間を省くことができる。【０２９５】
また、テープ排出口２７２でレセプターテープ２２３から該テープ排出口２７２の案内壁２７２Ａの出口側端縁部に沿って剥離されたセパレータ２２３Ｃは、セパレータ入口２７３からテープカセット２７１内に進入して、テープ送りローラ６３とセパレータ案内壁２４０との間へ案内されて、セパレータ巻き取りスプール２２６に巻き取られる。これにより、剥離したセパレータ２２３Ｃをテープカセット２７１内に収納することが可能となり、ユーザはレセプターテープ２２３から剥離したセパレータ２２３Ｃを廃棄する手間を省くことができる。【０２９６】
また、セパレータ２２３Ｃは、テープ排出口２７２の案内壁２７２Ａの出口側先端縁部に沿ってレセプターテープ２２３から剥離されて、セパレータ入口２７３内に進入して、テープ送りローラ６３とセパレータ案内壁２４０との間へ案内されるため、セパレータ２２３Ｃが印刷済みテープ２２８側に撓んでレセプターテープ２２３の粘着層２２３Ｂに再度付着することを確実に防止でき、当該印刷済みテープ２２８をテープ排出口２７２から外部へスムーズに排出することが可能となる。【０２９７】
また、テープ排出口２７２の各案内壁２７２Ａ、２７２Ｂの出口側端縁部は、側壁部２３８Ｂよりもテープ搬送方向下流側に突出して、固定刃３０Ａに対向すると共に該固定刃３０Ａに近接するように設けられているため、テープ切断位置と印刷済みテープ２２８の印刷位置との距離を短くすることが可能となり、印刷済みテープ２２８の余白長さを短くすることが可能となる。【０２９８】
また、テープ排出口２７２の各案内壁２７２Ａ、２７２Ｂの出口側端縁部が固定刃３０Ａに近接して配設されるため、印刷済みテープ２２８の印刷面をテープ切断位置、つまり、固定刃３０Ａの刃先の近傍まで確実に案内することが可能となる。【０２９９】
［第１６実施形態］
次に、第１６実施形態に係るテープカセット２８１について図４９乃至図５２に基づいて説明する。尚、以下の説明において、上記図４１乃至図４４の第１４実施形態に係るテープ印刷装置２０１及びテープカセット２５１の構成等と同一符号は、該第１４実施形態に係るテープ印刷装置２０１及びテープカセット２５１の構成等と同一あるいは相当部分を示すものである。【０３００】
第１６実施形態に係るテープカセット２８１の概略構成は、第１４実施形態に係るテープカセット２５１とほぼ同じ構成である。
但し、図４９乃至図５２に示すように、印刷済みテープ２６１が排出されるテープ排出口２８２は、正面視スリット状でテープ搬送方向に所定幅（例えば、幅約３ｍｍである。）に形成されている。また、このテープ排出口２８２の感熱テープ２５２のセパレータ２５２Ｃに接触する一方の案内壁２８２Ａに連続する側壁部２５８Ｂ、つまり、テープ送りローラ６３に対向する側壁部２５８Ｂには、この案内壁２８２Ａの出口側端縁部で感熱テープ２５２から剥離されたセパレータ２５２Ｃが進入可能なセパレータ入口２８３が貫通して形成されている。【０３０１】
また、テープ排出口２８２は、案内壁２８２Ａに対して印刷済みテープ２６１を挟んで該印刷済みテープ２６１のベーステープ２５２Ａの外側面に接触して該印刷済みテープ２６１をテープ搬送方向下流側へ案内する案内壁２８２Ｂが所定距離（例えば、距離約１ｍｍである。）離間して設けられている。そして、各案内壁２８２Ａ、２８２Ｂの出口側端縁部は、側壁部２５８Ｂよりもテープ搬送方向下流側に突出して、固定刃３０Ａに対向すると共に該固定刃３０Ａに近接するように設けられている。【０３０２】
また、テープ排出口２８２を構成する案内壁２８２Ａのテープ搬送方向下流側、つまり、出口側端縁部は、先端部が平面視鋭角状に（例えば、先端角度が約３０度〜約５０度である。）セパレータ入口２８３方向へ傾斜する傾斜面２８２Ｃを構成するように形成されている。この傾斜面２８２Ｃは、該案内壁２８２Ａの出口側端縁部とテープ送りローラ６３との共通接線よりも印刷済みテープ２６１側に傾斜するように形成されて、剥離されたセパレータ２５２Ｃと接触しないように構成されている。【０３０３】
また、セパレータ入口２８３の印刷済みテープ２６１側の内側側面は、傾斜面２８２Ｃのテープ送りローラ６３側の端縁部に連続すると共に、該セパレータ入口２８３のセパレータ２５２Ｃを挟んで対向する両内側面は、案内壁２８２Ａの出口側端縁部とテープ送りローラ６３との共通接線を挟んで該共通接線に対してほぼ平行になるよう所定距離（例えば、距離約２ｍｍである。）離間して形成されている。【０３０４】
そして、図４９乃至図５２に示すように、ベーステープ２５２Ａに印刷された感熱テープ２５２は、テープ駆動ローラ軸１４によって回転駆動されるテープ送りローラ６３とテープサブローラ１１との間を通過後、テープ排出口２８２の出口側端縁部に至る。その後、セパレータ２５２Ｃは、テープ排出口２８２の案内壁２８２Ａの出口側先端縁部に沿って感熱テープ２５２から剥離されて、セパレータ入口２８３内に進入して、テープ送りローラ６３の外周面に沿ってセパレータ案内壁２６５へ案内される。続いて、セパレータ２５２Ｃは、セパレータ案内壁２６５の壁面に沿って案内されてセパレータ巻き取りスプール２２６に至る。【０３０５】
そして、セパレータ２５２Ｃの先端部は、このセパレータ巻き取りスプール２２６の外周面に接着テープ等によって固着され、セパレータ巻取軸２０６により回転駆動される該セパレータ巻き取りスプール２２６に巻き取られる。尚、セパレータ巻取軸２０６は、テープ駆動ローラ軸１４と同期して回転駆動される。【０３０６】
また、セパレータ２５２Ｃが剥離された感熱テープ２５２、つまり、粘着剤付き印刷済みテープ２６１は、テープ排出口２８２からテープカセット２８１の外部に送り出される。そして、セパレータ２５２Ｃが剥離された粘着剤付き印刷済みテープ２６１は、カッタユニット３０を経てテープ印刷装置２０１のラベル排出口１７より外部に送り出される。【０３０７】
そして、印刷済みテープ２６１を所定長さ搬送後、不図示の切断用モータを駆動して可動刃３０Ｂを作動させることによって、セパレータ２５２Ｃが剥離された所定長さの粘着剤付き印刷済みテープ２６１がラベル排出口１７より排出される。【０３０８】
従って、第１６実施形態に係るテープ印刷装置２０１及びテープカセット２８１では、感熱テープ２５２は、サーマルヘッド９を介してベーステープ２５２Ａ側に印刷された後、テープ排出口２８２でセパレータ２５２Ｃが剥離された状態で搬送されることとなる。これにより、所定長さに切断された印刷済みテープ２６１を商品等に貼り付ける際に、セパレータ２５２Ｃを剥がす手間を省くことができる。【０３０９】
また、テープ排出口２８２で感熱テープ２５２から該テープ排出口２８２の案内壁２８２Ａの出口側端縁部に沿って剥離されたセパレータ２５２Ｃは、セパレータ入口２８３からテープカセット２８１内に進入して、テープ送りローラ６３とセパレータ案内壁２６５との間へ案内されて、セパレータ巻き取りスプール２２６に巻き取られる。これにより、剥離したセパレータ２５２Ｃをテープカセット２８１内に収納することが可能となり、ユーザは感熱テープ２５２から剥離したセパレータ２５２Ｃを廃棄する手間を省くことができる。【０３１０】
また、セパレータ２５２Ｃは、テープ排出口２８２の案内壁２８２Ａの出口側先端縁部に沿って感熱テープ２５２から剥離されて、セパレータ入口２８３内に進入して、テープ送りローラ６３とセパレータ案内壁２６５との間へ案内されるため、セパレータ２５２Ｃが印刷済みテープ２６１側に撓んで感熱テープ２５２の粘着層２５２Ｂに再度付着することを確実に防止でき、当該印刷済みテープ２６１をテープ排出口２８２から外部へスムーズに排出することが可能となる。【０３１１】
また、テープ排出口２８２の各案内壁２８２Ａ、２８２Ｂの出口側端縁部は、側壁部２５８Ｂよりもテープ搬送方向下流側に突出して、固定刃３０Ａに対向すると共に該固定刃３０Ａに近接するように設けられているため、テープ切断位置と印刷済みテープ２６１の印刷位置との距離を短くすることが可能となり、印刷済みテープ２６１の余白長さを短くすることが可能となる。【０３１２】
また、テープ排出口２８２の各案内壁２８２Ａ、２８２Ｂの出口側端縁部が固定刃３０Ａに近接して配設されるため、印刷済みテープ２６１の印刷面をテープ切断位置、つまり、固定刃３０Ａの刃先の近傍まで確実に案内することが可能となる。【０３１３】
尚、本発明は前記第１実施形態乃至第１６実施形態に限定されることはなく、本発明の要旨を逸脱しない範囲内で種々の改良、変形が可能であることは勿論である。
【符号の説明】
【０３１４】
１、２０１      テープ印刷装置
１１      テープサブローラ
２１、７１、８１、９１、１０１、１１１、１２１、１３１      テープカセット
１４１、１５１、１６１、１８１、２２１、２５１、２７１      テープカセット
２８１      テープカセット
２７、１１２、１６３、２２７、２５６、２７２、２８２      テープ排出口
２８、２２８、２６１      印刷済みテープ
３３、１１２Ａ、１１２Ｂ、２７２Ａ、２７２Ｂ、２８２Ａ、２８２Ｂ      案内壁
５１、２２３Ａ      フィルムテープ
５２、２２２      インクリボン
５３      両面粘着テープ
５３Ａ、５３Ｃ、２２３Ｂ、２５２Ｂ      粘着層
５３Ｂ    ベースフィルム
５３Ｄ、２２３Ｃ、２５２Ｃ    セパレータ
５４、２３１、２５３      テープスプール
５５、２３３      リボンスプール
５６      両面粘着スプール
６１、２２５      リボン巻き取りスプール
６２、２２６      セパレータ巻き取りスプール
６３      テープ送りローラ
６５      剥離コロ
６７、１１５、１７７      フィルムテープ占有領域
６８、１１６、１７８      両面粘着テープ占有領域
６９      第１重複領域
７０      第２重複領域
７２、９２、１２２、１４２、１６６      予備剥離ピン
８２、１０２、１３２、１５２      共通接線
１１３、２７３、２８３      セパレータ入口
１１７      第３重複領域
１１８      第４重複領域
１６２      接触コロ
１６５      剥離ピン
１７９      第５重複領域
１８０      第６重複領域
１８２      接触ピン
２５２Ａ      ベーステープ
２２３      レセプターテープ
２５２      感熱テープ
【図１】
2010047154.tif 000003
【図２】
2010047154.tif 000004
【図３】
2010047154.tif 000005
【図４】
2010047154.tif 000006
【図５】
2010047154.tif 000007
【図６】
2010047154.tif 000008
【図７】
2010047154.tif 000009
【図８】
2010047154.tif 000010
【図９】
2010047154.tif 000011
【図１０】
2010047154.tif 000012
【図１１】
2010047154.tif 000013
【図１２】
2010047154.tif 000014
【図１３】
2010047154.tif 000015
【図１４】
2010047154.tif 000016
【図１５】
2010047154.tif 000017
【図１６】
2010047154.tif 000018
【図１７】
2010047154.tif 000019
【図１８】
2010047154.tif 000020
【図１９】
2010047154.tif 000021
【図２０】
2010047154.tif 000022
【図２１】
2010047154.tif 000023
【図２２】
2010047154.tif 000024
【図２３】
2010047154.tif 000025
【図２４】
2010047154.tif 000026
【図２５】
2010047154.tif 000027
【図２６】
2010047154.tif 000028
【図２７】
2010047154.tif 000029
【図２８】
2010047154.tif 000030
【図２９】
2010047154.tif 000031
【図３０】
2010047154.tif 000032
【図３１】
2010047154.tif 000033
【図３２】
2010047154.tif 000034
【図３３】
2010047154.tif 000035
【図３４】
2010047154.tif 000036
【図３５】
2010047154.tif 000037
【図３６】
2010047154.tif 000038
【図３７】
2010047154.tif 000039
【図３８】
2010047154.tif 000040
【図３９】
2010047154.tif 000041
【図４０】
2010047154.tif 000042
【図４１】
2010047154.tif 000043
【図４２】
2010047154.tif 000044
【図４３】
2010047154.tif 000045
【図４４】
2010047154.tif 000046
【図４５】
2010047154.tif 000047
【図４６】
2010047154.tif 000048
【図４７】
2010047154.tif 000049
【図４８】
2010047154.tif 000050
【図４９】
2010047154.tif 000051
【図５０】
2010047154.tif 000052
【図５１】
2010047154.tif 000053
【図５２】
2010047154.tif 000054
【国際調査報告】
2010047154.tif 000055
2010047154.tif 000056